(57)【要約】無線通信デバイスによって実施される方法は、無線通信ノードから制御情報を受信することであって、制御情報は、無線通信デバイスと無線通信ノードとの間で伝送されるべきトランスポートブロックに関連する複数の伝送パラメータを含む、ことと、複数の伝送パラメータに基づいて、トランスポートブロックに関する中間トランスポートブロックサイズ（ＴＢＳ）を計算することと、少なくとも１つのイベントに応答して、中間ＴＢＳを修正し、修正されたＴＢＳを発生させることと、量子化組の中にあり、かつ修正されたＴＢＳより小さくないＴＢＳのうちの修正されたＴＢＳに最も近いＴＢＳに基づいて、トランスポートブロックに関する最終ＴＢＳを決定することとを含み、量子化組における各ＴＢＳは、８とトランスポートブロックの各々におけるコードブロックの数量との最小公倍数で割り切れる。
2021512517.tif 000002
【特許請求の範囲】
【請求項１】
無線通信デバイスによって実施される方法であって、前記方法は、
無線通信ノードから制御情報を受信することであって、前記制御情報は、前記無線通信デバイスと無線通信ノードとの間で伝送されるべきトランスポートブロックに関連する複数の伝送パラメータを含む、ことと、
前記複数の伝送パラメータに基づいて、前記トランスポートブロックに関する中間トランスポートブロックサイズ（ＴＢＳ）を計算することと、
少なくとも１つのイベントに応答して、前記中間ＴＢＳを修正し、修正されたＴＢＳを発生させることと、
量子化組の中にあり、かつ前記修正されたＴＢＳより小さくないＴＢＳのうちの前記修正されたＴＢＳに最も近いＴＢＳに基づいて、前記トランスポートブロックに関する最終ＴＢＳを決定することと
を含み、
前記量子化組における各ＴＢＳは、８と前記トランスポートブロックの各々におけるコードブロックの数量との最小公倍数で割り切れる、方法。
【請求項２】
前記量子化組における各ＴＢＳに関して、前記ＴＢＳと前記トランスポートブロックに関する巡回冗長チェックビットの数量との合計は、前記最小公倍数で割り切れる、請求項１に記載の方法。
【請求項３】
前記量子化組における各ＴＢＳは、２４〜８４２４であり、前記ＴＢＳが増加するにつれて、前記量子化組におけるあるＴＢＳから次のＴＢＳまでの量子化ステップは、８から１２８まで増加する、請求項１に記載の方法。
【請求項４】
前記量子化ステップは、
前記量子化組の粒度が閾値より大きいことと、
前記最終ＴＢＳがトランスポートブロックの初期伝送および再伝送の両方に関して同じであることと
を確実にするように決定される、請求項１に記載の方法。
【請求項５】
前記複数の伝送パラメータは、
前記トランスポートブロックの伝送のために構成されたレイヤの数量と、
前記トランスポートブロックの伝送のために構成された変調次数と、
前記トランスポートブロックの伝送のために構成された符号レートと、
前記トランスポートブロックの伝送のために構成された物理リソースブロックの数量と、
各物理リソースブロックあたりのリソース要素の数量と、
前記トランスポートブロックの伝送のためのリソース要素の合計数量であって、前記リソース要素の合計数量は、前記物理リソースブロックの数量と前記物理リソースブロックあたりのリソース要素の数量との積である、リソース要素の合計数量と、
前記トランスポートブロックの伝送のために構成されたスペクトル効率であって、前記スペクトル効率は、前記変調次数と前記符号レートとの積に等しい、スペクトル効率と
のうちの少なくとも１つを含む、請求項１に記載の方法。
【請求項６】
前記少なくとも１つのイベントは、
前記物理リソースブロックの数量が第１の閾値より小さいこと、
前記変調次数が第２の閾値より小さいこと、
前記リソース要素の合計数量が第３の閾値より小さいこと、および、
前記中間ＴＢＳが第４の閾値より小さいこと
のうちの少なくとも１つを含む、請求項５に記載の方法。
【請求項７】
前記中間ＴＢＳを修正することは、
前記物理リソースブロックの数量、前記変調次数、および前記スペクトル効率のうちの少なくとも１つに基づいて、補正係数を決定することと、
前記中間ＴＢＳを前記補正係数で乗算し、前記修正されたＴＢＳを発生させることと
を含む、請求項５に記載の方法。
【請求項８】
前記中間ＴＢＳを修正することは、
前記リソース要素の前記合計数量と量子化後のリソース要素数量の組とに基づいて、リソース要素の修正された数量を決定することと、
前記中間ＴＢＳの計算において前記リソース要素の合計数量を前記リソース要素の修正された数量と置換し、前記修正されたＴＢＳを発生させることと
を含む、請求項５に記載の方法。
【請求項９】
前記中間ＴＢＳを修正することは、
前記物理リソースブロックの数量、前記変調次数、および前記スペクトル効率のうちの少なくとも１つに基づいて、修正された符号レートを決定することと、
前記中間ＴＢＳの計算において前記符号レートを前記修正された符号レートと置換し、前記修正されたＴＢＳを発生させることと
を含む、請求項５に記載の方法。
【請求項１０】
前記修正されたＴＢＳに基づく前記トランスポートブロックの伝送は、前記中間ＴＢＳに直接基づく前記トランスポートブロックの伝送より良好なリンク安定性につながる、請求項１に記載の方法。
【請求項１１】
前記リンク安定性は、計算されたＴＢＳと前記伝送のために使用される実際のＴＢＳとの間の不一致を所与として、前記トランスポートブロックの伝送に関するターゲットブロックエラーレートを達成するために要求される信号対雑音比の変化に基づいて決定される、請求項１０に記載の方法。
【請求項１２】
無線通信ノードによって実施される方法であって、前記方法は、
無線通信デバイスと前記無線通信ノードとの間で伝送されるべきトランスポートブロックに関連する複数の伝送パラメータを発生させることと、
前記複数の伝送パラメータに基づいて、前記トランスポートブロックに関する中間トランスポートブロックサイズ（ＴＢＳ）を計算することと、
少なくとも１つのイベントに応答して、前記中間ＴＢＳを修正し、修正されたＴＢＳを発生させることと、
量子化組の中にあり、かつ前記修正されたＴＢＳより小さくないＴＢＳのうちの前記修正されたＴＢＳに最も近いＴＢＳに基づいて、前記トランスポートブロックに関する最終ＴＢＳを決定することであって、前記量子化組における各ＴＢＳは、８と前記トランスポートブロックの各々におけるコードブロックの数量との最小公倍数で割り切れる、ことと、
前記複数の伝送パラメータおよび前記最終ＴＢＳを含む制御情報を前記無線通信デバイスに伝送することと
を含む、方法。
【請求項１３】
前記量子化組における各ＴＢＳに関して、前記ＴＢＳと前記トランスポートブロックに関する巡回冗長チェックビットの数量との合計は、前記最小公倍数で割り切れる、請求項１２に記載の方法。
【請求項１４】
前記量子化組における各ＴＢＳは、２４〜８４２４であり、前記ＴＢＳが増加するにつれて、前記量子化組におけるあるＴＢＳから次のＴＢＳまでの量子化ステップは、８から１２８まで増加する、請求項１２に記載の方法。
【請求項１５】
前記量子化ステップは、
前記量子化組の粒度が閾値より大きいことと、
前記最終ＴＢＳがトランスポートブロックの初期伝送および再伝送の両方に関して同じであることと
を確実にするように決定される、請求項１２に記載の方法。
【請求項１６】
前記複数の伝送パラメータは、
前記トランスポートブロックの伝送のために構成されたレイヤの数量と、
前記トランスポートブロックの伝送のために構成された変調次数と、
前記トランスポートブロックの伝送のために構成された符号レートと、
前記トランスポートブロックの伝送のために構成された物理リソースブロックの数量と、
各物理リソースブロックあたりのリソース要素の数量と、
前記トランスポートブロックの伝送のためのリソース要素の合計数量であって、前記リソース要素の合計数量は、前記物理リソースブロックの数量と前記物理リソースブロックあたりのリソース要素の数量との積である、リソース要素の合計数量と、
前記トランスポートブロックの伝送のために構成されたスペクトル効率であって、前記スペクトル効率は、前記変調次数と前記符号レートとの積に等しい、スペクトル効率と
のうちの少なくとも１つを含む、請求項１２に記載の方法。
【請求項１７】
前記少なくとも１つのイベントは、
前記物理リソースブロックの数量が第１の閾値より小さいこと、
前記変調次数が第２の閾値より小さいこと、
前記リソース要素の合計数量が第３の閾値より小さいこと、および、
前記中間ＴＢＳが第４の閾値より小さいこと
のうちの少なくとも１つを含む、請求項１６に記載の方法。
【請求項１８】
前記中間ＴＢＳを修正することは、
前記物理リソースブロックの数量、前記変調次数、および前記スペクトル効率のうちの少なくとも１つに基づいて、補正係数を決定することと、
前記中間ＴＢＳを前記補正係数で乗算し、前記修正されたＴＢＳを発生させることと
を含む、請求項１６に記載の方法。
【請求項１９】
前記中間ＴＢＳを修正することは、
前記リソース要素の前記合計数量と量子化後のリソース要素数量の組とに基づいて、リソース要素の修正された数量を決定することと、
前記中間ＴＢＳの計算において前記リソース要素の合計数量を前記リソース要素の修正された数量と置換し、前記修正されたＴＢＳを発生させることと
を含む、請求項１６に記載の方法。
【請求項２０】
前記中間ＴＢＳを修正することは、
前記物理リソースブロックの数量、前記変調次数、および前記スペクトル効率のうちの少なくとも１つに基づいて、修正された符号レートを決定することと、
前記中間ＴＢＳの計算において前記符号レートを前記修正された符号レートと置換し、前記修正されたＴＢＳを発生させることと
を含む、請求項１６に記載の方法。
【請求項２１】
前記修正されたＴＢＳに基づく前記トランスポートブロックの伝送は、前記中間ＴＢＳに直接基づく前記トランスポートブロックの伝送より良好なリンク安定性につながる、請求項１２に記載の方法。
【請求項２２】
前記リンク安定性は、計算されたＴＢＳと前記伝送のために使用される実際のＴＢＳとの間の不一致を所与として、前記トランスポートブロックの伝送に関するターゲットブロックエラーレートを達成するために要求される信号対雑音比の変化に基づいて決定される、請求項２１に記載の方法。
【請求項２３】
請求項１−１１のいずれか１項に記載の方法を実行するように構成された無線通信デバイス。
【請求項２４】
請求項１２−２２のいずれか１項に記載の方法を実行するように構成された無線通信ノード。
【請求項２５】
請求項１−２２のいずれか１項に記載の方法を実装するためのコンピュータ実行可能命令を記憶している非一過性コンピュータ読み取り可能な媒体。
【発明の詳細な説明】
【技術分野】
【０００１】
本開示は、概して、無線通信に関し、より具体的には、無線通信におけるトランスポートブロックサイズを決定する方法、装置、およびシステムに関する。
【背景技術】
【０００２】
無線ネットワーキングシステムは、普及した手段となってきており、それによって世界中の人々の大多数が通信するようになってきている。典型的な無線通信ネットワーク（例えば、周波数、時間、および／またはコード分割技法を採用する）は、それぞれ、地理的無線カバレッジを提供する１つ以上の基地局（典型的に、「ＢＳ」として公知である）と、無線カバレッジ内でデータを伝送および受信し得る１つ以上の無線ユーザ機器デバイス（典型的に、「ＵＥ」として公知である）とを含む。
【０００３】
無線通信システム、例えば、第５世代（５Ｇ）新無線（ＮＲ）ネットワークにおいて、トランスポートブロック（ＴＢ）が、通常、エンコードされ、次いで、送信される。ＵＥは、ダウンリンク制御情報（ＤＣＩ）から変調次数、符号レート、およびレイヤの数を取得し、ＤＣＩにおいて分配された時間および周波数領域範囲からリソース要素の数を計算することができる。ＵＥは、これらの伝送パラメータに基づいて、中間トランスポートブロックサイズ（ＴＢＳ）を取得し、チャネルコーディングの要件に従って、実際の伝送されるＴＢＳを決定することができる。コーディング利得は、異なるトランスポートブロックサイズに関して異なる。概して、より小さいトランスポートブロックは、より大きいトランスポートブロックによって取得されるそれより小さいコーディング利得を取得し得る。しかし、トランスポートブロックのサイズがある値を超えると、コーティング利得の増加は、明白ではない。
【０００４】
既存のシステムにおいて、トランスポートブロックサイズ（ＴＢＳ）は、ある式を通して計算され、物理リソースブロック（ＰＲＢ）の数がより小さいとき、および、変調およびコーディングスキーム（ＭＣＳ）のレベルがより低いとき、ＴＢＳは、より小さく、結果として生じる小さいトランスポートブロックの性能は、不良である。すなわち、同じターゲットブロックエラーレート（ＢＬＥＲ）を達成するために、より小さいトランスポートブロックのために要求される信号対雑音比（ＳＮＲ）は、大きいトランスポートブロックのために要求されるＳＮＲよりも高い。したがって、計算されたＴＢＳが小さいとき、ＴＢＳが伝送され得る実際のＴＢＳからわずかに外れると、同じターゲットＢＬＥＲに到達するために要求されるＳＮＲは、大幅に変化し、それは、不安定なリンク性能を引き起こす。
【０００５】
加えて、異なる変調次数下で計算されるＴＢＳおよび同じターゲットＢＬＥＲを達成するために要求されるＳＮＲは、ＭＣＳテーブルにおけるいくつかの規則に従う。ＰＲＢの数が一定であり、変調次数が一定であるとき、ＳＮＲの値は、スペクトル効率（ＳＥ）または符号レート（ＣＲ）の増加とともに増加する。加えて、隣接するＭＣＳのＳＮＲ変化（ΔＳＮＲと称される）は、隣接するＭＣＳのＳＥ変化（ΔＳＥと称される）と釣り合わせられる。しかし、実際のＭＣＳテーブルにおいて、異なる変調次数の隣接するＭＣＳの同じスペクトル効率を確実にするために、それは、同じ変調次数の隣接するＭＣＳのΔＳＥ値の不均一な分布をもたらし得、それは、変調次数ホッピングにおける不均一なΔＳＮＲ値につながり、再び、リンクの安定性に影響を及ぼす。
【０００６】
さらに、任意の数のＰＲＢおよび任意のＭＣＳ変調次数に関して、ＴＢＳが既存の式を使用して計算された後、式中のパラメータのうちのいずれか１つが変化する場合、計算されたＴＢＳも、変化するであろう。初期伝送中および再伝送中の２つの計算されたＴＢＳは、異なり得るので、伝送は、続けられることができない。
【０００７】
したがって、無線通信におけるトランスポートブロックサイズを決定するための既存のシステムおよび方法は、完全には満足の行くものではない。
【発明の概要】
【課題を解決するための手段】
【０００８】
本明細書に開示される例示的実施形態は、従来技術において提示される問題のうちの１つ以上のものに関連する問題を解決すること、および、付随の図面と併せて検討されるとき、以下の詳細な説明を参照することによって容易に明白となるであろう追加の特徴を提供することを対象とする。種々の実施形態に従って、例示的システム、方法、デバイス、およびコンピュータプログラム製品が、本明細書に開示される。しかしながら、これらの実施形態は、限定ではなく、例として提示されることを理解されたく、開示される実施形態の種々の修正が、本開示の範囲内に留まりながら行われ得ることが、本開示を熟読する当業者に明白となるであろう。
【０００９】
一実施形態において、無線通信デバイスによって実施される方法が、開示される。方法は、無線通信ノードから制御情報を受信することであって、制御情報は、無線通信デバイスと無線通信ノードとの間で伝送されるべきトランスポートブロックに関連する複数の伝送パラメータを含む、ことと、複数の伝送パラメータに基づいて、トランスポートブロックに関する中間トランスポートブロックサイズ（ＴＢＳ）を計算することと、少なくとも１つのイベントに応答して、中間ＴＢＳを修正し、修正されたＴＢＳを発生させることと、量子化組の中にあり、かつ修正されたＴＢＳより小さくないＴＢＳのうちの修正されたＴＢＳに最も近いＴＢＳに基づいて、トランスポートブロックに関する最終ＴＢＳを決定することであって、量子化組における各ＴＢＳは、８およびトランスポートブロックの各々におけるコードブロックの数量の最小公倍数で割り切れる、こととを含む。
【００１０】
さらなる実施形態において、無線通信ノードによって実施される方法が、開示される。方法は、無線通信デバイスと無線通信ノードとの間で伝送されるべきトランスポートブロックに関連する複数の伝送パラメータを発生させることと、複数の伝送パラメータに基づいて、トランスポートブロックに関する中間トランスポートブロックサイズ（ＴＢＳ）を計算することと、少なくとも１つのイベントに応答して、中間ＴＢＳを修正し、修正されたＴＢＳを発生させることと、量子化組の中にあり、かつ修正されたＴＢＳより小さくないＴＢＳのうちの修正されたＴＢＳに最も近いＴＢＳに基づいて、トランスポートブロックに関する最終ＴＢＳを決定することであって、量子化組における各ＴＢＳは、８およびトランスポートブロックの各々におけるコードブロックの数量の最小公倍数で割り切れる、ことと、複数の伝送パラメータおよび最終ＴＢＳを含む制御情報を無線通信デバイスに伝送することとを含む。
【００１１】
異なる実施形態において、いくつかの実施形態において開示される方法を実行するように構成された無線通信デバイスが、開示される。
【００１２】
さらに別の実施形態において、いくつかの実施形態において開示される方法を実行するように構成された無線通信ノードが、開示される。
【００１３】
なおも別の実施形態において、いくつかの実施形態において開示される方法を実行するためのコンピュータ実行可能命令を記憶している非一過性コンピュータ読み取り可能な媒体が、開示される。
【図面の簡単な説明】
【００１４】
本開示の種々の例示的実施形態が、以下の図を参照して、下で詳細に説明される。図面は、図示のみを目的として提供され、単に、本開示の読者の理解を促進するために、本開示の例示的実施形態を描写する。したがって、図面は、本開示の範疇、範囲、または可用性の限定と見なされるべきではない。明確化および容易な図示のために、これらの図面は、必ずしも縮尺通りに描かれないことに留意されたい。
【００１５】
【図１Ａ】図１Ａは、本開示のある実施形態による本明細書に開示される技法が実装され得る例示的通信ネットワークを図示する。
【００１６】
【図１Ｂ】図１Ｂは、従来技術のある実施形態によるリンク安定性変化対変調およびコーディングスキーム（ＭＣＳ）インデックスの例示的シミュレーション結果を図示する。
【００１７】
【図１Ｃ】図１Ｃは、従来技術のある実施形態による信号対雑音比（ＳＮＲ）性能変化対ＭＣＳインデックスの例示的シミュレーション結果を図示する。
【００１８】
【図２】図２は、本開示のいくつかの実施形態によるユーザ機器（ＵＥ）のブロック図を図示する。
【００１９】
【図３】図３は、本開示のいくつかの実施形態による無線通信におけるトランスポートブロックサイズを決定するためにＵＥによって実施される方法に関するフローチャートを図示する。
【００２０】
【図４】図４は、本開示のいくつかの実施形態による基地局（ＢＳ）のブロック図を図示する。
【００２１】
【図５】図５は、本開示のいくつかの実施形態による無線通信におけるトランスポートブロックサイズを決定するためにＢＳによって実施される方法に関するフローチャートを図示する。
【００２２】
【図６Ａ】図６Ａは、本開示のある実施形態によるリンク安定性変化対ＭＣＳインデックスの例示的シミュレーション結果を図示する。
【００２３】
【図６Ｂ】図６Ｂは、本開示のある実施形態によるＳＮＲ性能変化対ＭＣＳインデックスの例示的シミュレーション結果を図示する。
【００２４】
【図７Ａ】図７Ａは、本開示のある実施形態によるリンク安定性変化対ＭＣＳインデックスの別の例示的シミュレーション結果を図示する。
【００２５】
【図７Ｂ】図７Ｂは、本開示のある実施形態によるＳＮＲ性能変化対ＭＣＳインデックスの別の例示的シミュレーション結果を図示する。
【００２６】
【図８Ａ】図８Ａは、本開示のある実施形態によるリンク安定性変化対ＭＣＳインデックスのさらに別の例示的シミュレーション結果を図示する。
【００２７】
【図８Ｂ】図８Ｂは、本開示のある実施形態によるＳＮＲ性能変化対ＭＣＳインデックスのさらに別の例示的シミュレーション結果を図示する。
【００２８】
【図９】図９は、本開示のある実施形態によるＳＮＲ性能変化対ＭＣＳインデックスの異なる例示的シミュレーション結果を図示する。
【００２９】
【図１０Ａ】図１０Ａは、本開示のある実施形態による非量子化ＴＢＳの例示的分布を図示する。
【００３０】
【図１０Ｂ】図１０Ｂは、本開示のある実施形態による量子化ＴＢＳの例示的分布を図示する。
【００３１】
【図１１Ａ】図１１Ａは、本開示のある実施形態による非量子化ＴＢＳの別の例示的分布を図示する。
【００３２】
【図１１Ｂ】図１１Ｂは、本開示のある実施形態による量子化ＴＢＳの別の例示的分布を図示する。
【００３３】
【図１２Ａ】図１２Ａは、本開示のある実施形態による非量子化ＴＢＳのさらに別の例示的分布を図示する。
【００３４】
【図１２Ｂ】図１２Ｂは、本開示のある実施形態による量子化ＴＢＳのさらに別の例示的分布を図示する。
【発明を実施するための形態】
【００３５】
本開示の種々の例示的実施形態が、当業者が本開示を作製および使用することを可能にするために、付随の図を参照して、下で説明される。当業者に明白であろうように、本開示の熟読後、本明細書に説明される例の種々の変更または修正が、本開示の範囲から逸脱することなく行われることができる。したがって、本開示は、本明細書に説明および例証される例示的実施形態および用途に限定されない。加えて、本明細書に開示される方法におけるステップの具体的順序および／または階層は、単に、例示的アプローチである。設計選好に基づいて、開示される方法またはプロセスのステップの具体的順序もしくは階層は、本開示の範囲内に留まりながら再配列されることができる。したがって、当業者は、本明細書に開示される方法および技法が、サンプル順序における種々のステップまたは行為を提示し、本開示は、明確に別様に記載されない限り、提示される具体的順序または階層に限定されないことを理解するであろう。
【００３６】
無線通信システム、例えば、第５世代（５Ｇ）新無線（ＮＲ）ネットワークにおいて、トランスポートブロック（ＴＢ）が、通常、エンコードされ、次いで、送信される。コーディング利得は、異なるトランスポートブロックサイズに関して異なる。概して、より小さいトランスポートブロックは、より大きいトランスポートブロックによって取得されるそれより小さいコーディング利得を取得し得る。１００ビットの長さを有するトランスポートブロックのコーディング利得は、約５，０００ビットの長さを有するトランスポートブロックのそれと約１ｄＢ異なり得る。しかし、トランスポートブロックのサイズがある値（例えば、５，０００ビット）を超えると、コーティング利得の増加は、明白ではない。
【００３７】
既存のシステムにおいて、トランスポートブロックサイズ（ＴＢＳ）は、ある式を通して計算され、物理リソースブロック（ＰＲＢ）の数がより小さいとき、および、変調およびコーディングスキーム（ＭＣＳ）のレベルがより低いとき、ＴＢＳは、より小さい。ＰＲＢの数がより大きいとき、および／または、ＭＣＳレベルがより高いとき、ＴＢＳは、より大きい。したがって、ＰＲＢの数がより小さいとき、およびＭＣＳレベルがより低いとき、結果として生じる小さいトランスポートブロックの性能は、不良である。すなわち、同じターゲットブロックエラーレート（ＢＬＥＲ）を達成するために、より小さいトランスポートブロックのために要求される信号対雑音比（ＳＮＲ）は、大きいトランスポートブロックのために要求されるＳＮＲよりも高い。したがって、計算されたＴＢＳが小さいとき、ＴＢＳが伝送され得る実際のＴＢＳからわずかに外れると、同じターゲットＢＬＥＲに到達するために要求されるＳＮＲは、大幅に変化し、それは、安定したリンク性能を取得することに貢献しない。ＭＣＳテーブルにおいて、異なる変調次数下で計算されるＴＢＳおよび同じターゲットＢＬＥＲを達成するために要求されるＳＮＲは、いくつかの規則または傾向に従う。ＰＲＢの数が一定であり、変調次数が一定であるとき、ＳＮＲの値は、スペクトル効率（ＳＥ）または符号レート（ＣＲ）の増加とともに増加する。加えて、隣接するＭＣＳのＳＮＲ変化（ΔＳＮＲと称される）は、隣接するＭＣＳのＳＥ変化（ΔＳＥと称される）と釣り合わせられる。すなわち、同じ変調次数の隣接するＭＣＳのΔＳＥの値間の差異が大きくない（例えば、ΔＳＥ間の差異が０．０５を超えない）場合、隣接するＭＣＳのΔＳＮＲ値は、比較的に均一であり、対応するリンク安定性も、より良好である。しかし、実際のＭＣＳテーブルにおいて、異なる変調次数の隣接するＭＣＳの同じスペクトル効率を確実にするために、それは、同じ変調次数の隣接するＭＣＳのΔＳＥ値の不均一な分布をもたらし得、それは、変調次数ホッピング（変調次数がＭＣＳテーブルにおけるあるＭＣＳインデックスから隣接するＭＣＳインデックスに変化する場合）における不均一なΔＳＮＲ値につながり、リンクの安定性に影響を及ぼす。
【００３８】
下記は、スペクトル効率分析を伴う例示的ＭＣＳテーブルである。
【表１】
2021512517.tif 000003
【００３９】
この問題に応答して、本開示は、トランスポートブロックのサイズを決定する方法を提供する。方法は、リンク安定性を強化する目的を達成するために、補正係数を導入することによって既存のＴＢＳ計算を修正する。
【００４０】
さらに、任意の数のＰＲＢおよび任意のＭＣＳ変調次数に関して、ＴＢＳが式を使用して計算された後、式中のパラメータのうちのいずれか１つが変化する場合、計算されたＴＢＳも、変化するであろう。例えば、初期である：Ｑｍ＝２、Ｒ＝３０８／１，０２４、ＰＲＢの数は２、ＰＲＢあたりのＲＥの数は１３２、ＴＢＳは、１２０。次いで、再伝送のために分配されるパラメータは、以下である：Ｑｍ＝２、Ｒ＝３７９／１，０２４、ＰＲＢの数は２、ＰＲＢあたりのＲＥの数は１３２、ＴＢＳは、１７６。２つの計算されたＴＢＳは、異なるので、伝送は、続けられることができない。
【００４１】
この問題に応答して、トランスポートブロックサイズが初期伝送中および再伝送中に同じであることに配慮して、本開示は、ＴＢＳを量子化し、ＴＢＳの組またはＴＢＳテーブルを取得する方法を提供する。ＵＥは、ＴＢＳテーブルにおいて、計算されたＴＢＳの四捨五入、切り上げ、または切り捨ての観点から計算されたＴＢＳに最も近いＴＢＳを伝送のために使用されるＴＢＳであるように選択することができる。量子化ステップサイズが、ＴＢＳの増加とともに増加するので、開示される方法は、複雑なオンライン計算を回避し、伝送に関するＴＢＳ粒度が良好であることを確実にし、ＴＢＳが初期伝送および再伝送において同じであることを確実にすることができる。
【００４２】
本教示に開示される方法は、無線通信ネットワークにおいて実装されることができ、ＢＳおよびＵＥは、通信リンクを介して、例えば、ＢＳからＵＥへのダウンリンク無線フレームを介して、またはＵＥからＢＳへのアップリンク無線フレームを介して互いに通信することができる。種々の実施形態において、本開示におけるＢＳは、次世代Ｎｏｄｅ  Ｂ（ｇＮＢ）、Ｅ−ＵＴＲＡＮ  Ｎｏｄｅ  Ｂ（ｅＮＢ）、送受信ポイント（ＴＲＰ）、アクセスポイント（ＡＰ）等を含むか、または、それとして実装されることができる一方、本開示におけるＵＥは、移動局（ＭＳ）、無線局（ＳＴＡ）等を含むか、または、それとして実装されることができる。ＢＳおよびＵＥは、それぞれ、「無線通信ノード」および「無線通信デバイス」の非限定的例として本明細書に説明され得、それらは、本開示の種々の実施形態に従って、本明細書に開示される方法を実践することができ、無線および／または有線通信が可能であり得る。
【００４３】
図１Ａは、本開示のある実施形態による本明細書に開示される技法が実装され得る例示的通信ネットワーク１００を図示する。図１Ａに示されるように、例示的通信ネットワーク１００は、基地局（ＢＳ）１０１と、複数のＵＥであるＵＥ１  １１０、ＵＥ２  １２０・・・ＵＥ３  １３０とを含み、ＢＳ１０１は、いくつかの無線プロトコルに従ってＵＥと通信することができる。例えば、ダウンリンク伝送前、ＢＳ１０１は、ダウンリンク制御情報（ＤＣＩ）をＵＥ、例えば、ＵＥ１  １１０に伝送し、ＢＳ１０１からＵＥ１  １１０に伝送されるようにトランスポートブロック（ＴＢ）をスケジューリングする。ＤＣＩは、伝送されるべきトランスポートブロックに関連する複数の伝送パラメータを含み得る。複数の伝送パラメータに基づいて、ＵＥは、トランスポートブロックの伝送に関するトランスポートブロックサイズ（ＴＢＳ）を決定し得る。種々の実施形態によると、ＴＢＳ決定は、ＢＳおよび／またはＵＥによって実施され得、ダウンリンクおよび／またはアップリンクＴＢ伝送に適用され得る。
【００４４】
下記は、ＴＢＳ決定のための既存の式を使用することによってＴＢＳを計算する方法である。計算方法は、トランスポートブロックビットサイズの中間値ＴＢＳ＿ｔｅｍｐを達成するために、ＮＲＥ×ν×Ｑｍ×Ｒを計算することである。これらのパラメータの意味は、以下のように示される：νは、トランスポーテーションのレイヤの数であり、Ｑｍは、ＭＣＳインデックスから取得され得る変調次数であり、Ｒは、ＭＣＳのインデックスに従って取得され得る符号レートであり、ＮＲＥは、その値が
【数２】
2021512517.tif 000004
である、リソース要素（ＲＥ）の数であり、式中、
【数３】
2021512517.tif 000005
は、分配されるＰＲＢの数であり、Ｙは、ＰＲＢあたりのＲＥの数であるＸの量子化値であり、
【数４】
2021512517.tif 000006
であり、Ｘｄは、分配される持続時間における各ＰＲＢにおいて復調基準信号（ＤＭＲＳ）によって占有されるＲＥの数であり、Ｘｏｈは、準静的に決定されるチャネルステータスインジケータ基準信号（ＣＳＩ−ＲＳ）およびＣＯＲＥＳＥＴ情報によって占有される合計オーバーヘッドであり、アップリンクおよびダウンリンクの占有率は、同じではないこともある。中間値ＴＢＳ＿ｔｅｍｐが取得された後、実際のＴＢＳは、チャネルコーディングに従って決定される。ＴＢＳは、（ａ）８の倍数であること、および、（ｂ）コードブロックサイズ（ＣＢＳ）が分割後の各コードブロックに関して等しいことを含む要件を満たさなければならないと決定されている。具体的計算方法は、以下を含む：コードブロック分割要件に基づいて、中間値を介してブロックの数Ｃを最初に決定し、次いで、８とＣとの最小公倍数（すなわち、ＬＣＭ（８，Ｃ））を求め、ＴＢＳを定量化する。すなわち、ＴＢＳ＝ｆｕｎｃｔｉｏｎ（ＴＢＳ＿ｔｅｍｐ／δ）×δであり、式中、ｆｕｎｃｔｉｏｎ（・）は、元の値を四捨五入すること、切り上げること、切り捨てること、または維持することを意味し、δは、ＴＢＳの量子化ステップサイズであり、その値は、８とコードブロック数Ｃとの最小公倍数である（すなわち、δ＝ＬＣＭ（８，Ｃ））。
【００４５】
ＴＢＳを決定する上で言及される方法に基づいて、ＰＲＢの数が小さく、変調次数が低いとき、計算されたＴＢＳは、小さく、実際の伝送されるＴＢＳから外れ、非常に不安定なリンクをもたらし得る。例えば、分配されるＲＥの数が１３２であり、ＰＲＢの数が１であり、レイヤの数が１であるとき、ダウンリンク６４直交振幅変調（６４ＱＡＭ）を用いたＭＣＳテーブルのシミュレートされたリンク安定性が、図１Ｂのプロット１４０に示される。図１Ｂは、ターゲットＢＬＥＲ＝１０％を達成するために方法を使用して計算されたＴＢＳを用いたリンク安定性を表すために、デルタＳＮＲ（すなわち、ΔＳＮＲ）を利用している。図１Ｂに示されるように、ＭＣＳインデックスが低いとき、デルタＳＮＲは、１付近で安定しないで、０．４〜１．７で変動する。
【００４６】
図１Ｃは、上で言及される方法に基づく、信号対雑音比（ＳＮＲ）性能変化対ＭＣＳインデックスの例示的シミュレーション結果１５０を図示する。図１Ｃに示されるように、ＭＣＳインデックスが低い（例えば、０〜１０）とき、ＳＮＲ曲線は、ＭＣＳインデックスが高い（例えば、２０〜２８）ときのＳＮＲ曲線ほど平滑ではない。図１Ｃに示されるように、ＭＣＳインデックス範囲（例えば、０〜１０）を所与として、より低いＰＲＢ＝１に対応するＳＮＲ曲線は、より高いＰＲＢ＝６に対応するＳＮＲ曲線ほど平滑ではなく、より平滑なＳＮＲ曲線は、より安定したリンクを示す。
【００４７】
下記の表１Ｄは、分配されるリソース
【数５】
2021512517.tif 000007
を用いた上で言及される方法に基づいて計算されたＴＢＳ値を示す。
【表１Ｄ】
2021512517.tif 000008
【００４８】
下記の表１Ｅは、隣接するＭＣＳのΔＳＮＲのシミュレートされた値を示し、ＴＢＳ値は、上で言及される方法に基づいて計算され、分配されるリソースは、
【数６】
2021512517.tif 000009
であり、ターゲットＢＬＥＲ＝１０％である。
【表１Ｅ】
2021512517.tif 000010
【００４９】
上で言及される方法のリンク安定性問題に応答して、本開示は、補正係数を導入することによってＴＢＳの上記の計算式を改良し、関連するパラメータ間の関数関係を決定し、柔軟性を失うことなく安定したリンクを確実にするための新規のＴＢＳ計算方法を提供する。
【００５０】
一実施形態において、新規のＴＢＳ計算方法は、補正係数βを追加することによって設計される。補正係数は、ＰＲＢ数および／またはＭＣＳ次数および／またはスペクトル効率（または符号レート）の関数である。異なるＰＲＢ数および／または異なるＭＣＳ次数および／または異なるスペクトル効率（または符号レート）に関して、βの値は、異なり得る。
【００５１】
別の実施形態において、新規のＴＢＳ計算方法は、ＲＥの合計数を修正することによって設計される。ＮＲＥは、ＰＲＢ数および／またはＭＣＳ次数の関数である。異なるＰＲＢ数および／または異なるＭＣＳ次数に関して、ＲＥの数は、異なって定量化され得る。
【００５２】
さらに別の実施形態において、新規のＴＢＳ計算方法は、符号レートまたはスペクトル効率を修正することによって設計される。それらの各々は、ＰＲＢ数および／またはＭＣＳ次数の関数である。異なるＰＲＢ数および／または異なるＭＣＳ次数に関して、符号レートまたはスペクトル効率の値は、異なり得る。
【００５３】
本開示は、各所与のＴＢＳ範囲内のＴＢＳのための固定された量子化ステップを開発することによって、利用可能なＴＢＳ値の組の新規の設計を提供する。ＴＢＳのための異なる量子化ステップは、異なる範囲において設計され得；量子化ステップサイズは、ＴＢＳが増加すると、増加する。これは、初期伝送中および再伝送中に同じＴＢＳを確実にすることと、利用可能なＴＢＳの粒度が過剰に低くないことを確実にすることとの両方を行うことができる。量子化ステップは、ＰＲＢの数および／またはＭＣＳ次数および／またはスペクトル効率および／または符号レートの関数でもあり得る。
【００５４】
図２は、本開示のいくつかの実施形態によるユーザ機器（ＵＥ）２００のブロック図を図示する。ＵＥ２００は、本明細書に説明される種々の方法を実装するように構成され得るデバイスの例である。図２に示されるように、ＵＥ２００は、システムクロック２０２と、プロセッサ２０４と、メモリ２０６と、送信機２１２および受信機２１４を備える送受信機２１０と、電力モジュール２０８と、制御情報分析器２２０と、中間トランスポートブロックサイズ計算器２２２と、トランスポートブロックサイズ修正器２２４と、最終トランスポートブロックサイズ決定器２２６とを含む筐体２４０を含む。
【００５５】
本実施形態において、システムクロック２０２は、ＵＥ２００の全ての動作のタイミングを制御するために、タイミング信号をプロセッサ２０４に提供する。プロセッサ２０４は、ＵＥ２００の一般的動作を制御し、中央処理ユニット（ＣＰＵ）および／または汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態マシン、ゲーテッド論理、別々のハードウェアコンポーネント、専用ハードウェア有限状態マシン、またはデータの計算もしくは他の操作を実施し得る任意の他の好適な回路、デバイス、および／または構造の任意の組み合わせ等の１つ以上の処理回路またはモジュールを含むことができる。
【００５６】
読み取り専用メモリ（ＲＯＭ）およびランダムアクセスメモリ（ＲＡＭ）の両方を含み得るメモリ２０６は、命令およびデータをプロセッサ２０４に提供することができる。メモリ２０６の一部は、不揮発性ランダムアクセスメモリ（ＮＶＲＡＭ）も含むことができる。プロセッサ２０４は、典型的に、メモリ２０６内に記憶されるプログラム命令に基づいて、論理および算術演算を実施する。メモリ２０６内に記憶される命令（ソフトウェアとしても公知である）は、本明細書に説明される方法を実施するようにプロセッサ２０４によって実行されることができる。プロセッサ２０４およびメモリ２０６は、ソフトウェアを記憶および実行する処理システムを一緒に形成する。本明細書に使用されるように、「ソフトウェア」は、ソフトウェア、ファームウェア、ミドルウェア、マイクロコード等と称されるかどうかにかかわらず、１つ以上の所望の機能またはプロセスを実施するように機械またはデバイスを構成し得る任意のタイプの命令を意味する。命令は、コード（例えば、ソードコードフォーマット、バイナリコードフォーマット、実行可能コードフォーマット、またはコードの任意の他の好適なフォーマットにおける）を含むことができる。命令は、１つ以上のプロセッサによって実行されると、処理システムに本明細書に説明される種々の機能を実施させる。
【００５７】
送信機２１２および受信機２１４を含む送受信機２１０は、ＵＥ２００が、遠隔デバイス（例えば、ＢＳまたは別のＵＥ）に、およびそれからデータを伝送および受信することを可能にする。アンテナ２５０が、典型的に、筐体２４０に取り付けられ、送受信機２１０に電気的に結合される。種々の実施形態において、ＵＥ２００は、（図示せず）複数の送信機と、複数の受信機と、複数の送受信機とを含む。一実施形態において、アンテナ２５０は、それらの各々が異なる方向を向く複数のビームを形成し得るマルチアンテナアレイ２５０と置換される。送信機２１２は、異なるパケットタイプまたは機能を有するパケットを無線で伝送するように構成されることができ、そのようなパケットは、プロセッサ２０４によって発生させられる。同様に、受信機２１４は、異なるパケットタイプまたは機能を有するパケットを受信するように構成され、プロセッサ２０４は、複数の異なるパケットタイプのパケットを処理するように構成される。例えば、プロセッサ２０４は、パケットのタイプを決定し、それに応じて、パケットおよび／またはパケットのフィールドを処理するように構成されることができる。
【００５８】
無線通信において、ＵＥ２００は、ＢＳから制御情報を受信し得る。制御情報は、本実施形態において、ダウンリンク制御情報（ＤＣＩ）であり得る。例えば、制御情報分析器２２０は、受信機２１４を介して、ＵＥ２００とＢＳとの間で、例えば、ＢＳからＵＥ２００に伝送されるべきトランスポートブロックに関連する複数の伝送パラメータを含むＤＣＩを受信し得る。制御情報分析器２２０は、ＤＣＩを分析し、トランスポートブロックの伝送のために構成されたレイヤの数量、トランスポートブロックの伝送のために構成された変調次数、トランスポートブロックの伝送のために構成された符号レート、トランスポートブロックの伝送のために構成された物理リソースブロックの数量、各物理リソースブロックあたりのリソース要素の数量、物理リソースブロックの数量と物理リソースブロックあたりのリソース要素の数量との積であるトランスポートブロックの伝送のためのリソース要素の合計数量、および、変調次数と符号レートとの積に等しいトランスポートブロックの伝送のために構成されたスペクトル効率のうちの少なくとも１つを含み得る複数の伝送パラメータを識別し得る。制御情報分析器２２０は、複数の伝送パラメータを含む分析されたＤＣＩを中間トランスポートブロックサイズ（ＴＢＳ）を計算するための中間トランスポートブロックサイズ計算器２２２に、および中間ＴＢＳを修正し、修正されたＴＢＳを発生させるためのトランスポートブロックサイズ修正器２２４に送信し得る。
【００５９】
この例における中間トランスポートブロックサイズ計算器２２２は、制御情報分析器２２０から複数の伝送パラメータを含む分析されたＤＣＩを受信する。複数の伝送パラメータに基づいて、中間トランスポートブロックサイズ計算器２２２は、ＢＳからＵＥ２００に伝送されるべきトランスポートブロックに関する中間ＴＢＳを計算する。一実施形態において、中間トランスポートブロックサイズ計算器２２２は、図１Ｂおよび図１Ｃに対応する上で言及される方法に基づいて、中間ＴＢＳを計算することができる。中間トランスポートブロックサイズ計算器２２２は、中間ＴＢＳを修正し、修正されたＴＢＳを発生させるために、中間ＴＢＳをトランスポートブロックサイズ修正器２２４に伝送する。
【００６０】
この例におけるトランスポートブロックサイズ修正器２２４は、制御情報分析器２２０から複数の伝送パラメータを受信し、中間トランスポートブロックサイズ計算器２２２から中間ＴＢＳを受信することができる。トランスポートブロックサイズ修正器２２４は、最初に、複数の伝送パラメータのうちの少なくとも１つおよび少なくとも１つの閾値に基づいて、条件が満たされるかどうかを決定する。一実施形態において、以下のうちの少なくとも１つが起こるとき、条件が満たされる：物理リソースブロックの数量が、第１の閾値、例えば、２以下のとき；変調次数が、第２の閾値、例えば、４以下のとき；リソース要素の合計数量が、第３の閾値より小さいとき；および、中間トランスポートブロックが、第４の閾値、例えば、４，０００より小さいとき。
【００６１】
条件が満たされると、トランスポートブロックサイズ修正器２２４は、中間トランスポートブロックサイズを修正し、修正されたトランスポートブロックサイズを発生させる。一実施形態において、条件が満たされると、トランスポートブロックサイズ修正器２２４は、物理リソースブロックの数量、および変調次数、およびスペクトル効率のうちの少なくとも１つに基づいて、補正係数を決定し、中間トランスポートブロックサイズを補正係数で乗算し、修正されたトランスポートブロックサイズを発生させる。
【００６２】
別の実施形態において、条件が満たされると、トランスポートブロックサイズ修正器２２４は、リソース要素の合計数量および量子化後のリソース要素数量の組に基づいて、リソース要素の修正された数量を決定し、中間トランスポートブロックの計算においてリソース要素の合計数量をリソース要素の修正された数量と置換し、修正されたトランスポートブロックサイズを発生させる。
【００６３】
さらに別の実施形態において、条件が満たされると、トランスポートブロックサイズ修正器２２４は、物理リソースブロックの数量、および変調次数、およびスペクトル効率のうちの少なくとも１つに基づいて、修正された符号レートを決定し、中間トランスポートブロックサイズの計算において符号レートを修正された符号レートと置換し、修正されたトランスポートブロックサイズを発生させる。
【００６４】
異なる実施形態において、修正されたトランスポートブロックサイズは、トランスポートブロックの各々の巡回冗長チェック（ＣＲＣ）に関するビットを含む。計算されたトランスポートブロックサイズに基づくトランスポートブロックの伝送は、計算されたトランスポートブロックサイズが中間トランスポートブロックサイズであるときのそれよりも、計算されたトランスポートブロックサイズが修正されたトランスポートブロックサイズであるときにより良好なリンク安定性につながる。リンク安定性は、計算されたトランスポートブロックサイズと伝送のために使用される実際のトランスポートブロックサイズとの間の不一致を所与として、トランスポートブロックの伝送に関するターゲットブロックエラーレートを達成するために要求される信号対雑音比の変化に基づいて決定され得る。トランスポートブロックサイズ修正器２２４は、トランスポートブロックの伝送に関する最終ＴＢＳを決定するために、修正されたＴＢＳを最終トランスポートブロックブロックサイズ決定器２２６に伝送する。
【００６５】
この例における最終トランスポートブロックサイズ決定器２２６は、制御情報分析器２２０から複数の伝送パラメータを受信し、トランスポートブロックサイズ修正器２２４から修正されたＴＢＳを受信し得る。最終トランスポートブロックサイズ決定器２２６は、トランスポートブロックの伝送に関する修正されたトランスポートブロックサイズに基づいて、最終トランスポートブロックサイズを決定することができる。
【００６６】
一実施形態において、最終トランスポートブロックサイズ決定器２２６は、量子化されたトランスポートブロックサイズの組を発生させ、量子化組におけるあるトランスポートブロックから次のトランスポートブロックへの量子化ステップは、以下の伝送パラメータのうちの少なくとも１つの関数である：物理リソースブロックの数量、変調次数、および、スペクトル効率。最終トランスポートブロックサイズ決定器２２６は、次いで、量子化組の中にあり、かつ修正されたトランスポートブロックサイズより小さくないトランスポートブロックサイズのうちの修正されたトランスポートブロックサイズに最も近いトランスポートブロックサイズに基づいて、最終トランスポートブロックサイズを決定する。
【００６７】
別の実施形態において、最終トランスポートブロックサイズ決定器２２６は、修正されたトランスポートブロックサイズを最も近いより大きい整数に切り上げ、整数トランスポートブロックサイズを発生させ；整数トランスポートブロックサイズおよびチャネルコーディングに関連するブロック分割規則に基づいて、トランスポートブロックの各々におけるコードブロックの数量を決定し；整数トランスポートブロックサイズおよびコードブロックの数量に基づいて、最終トランスポートブロックサイズを計算し、トランスポートブロックのブロック分割後の８の倍数と等しいコードブロックサイズとを確実にする。例えば、最終トランスポートブロックサイズ決定器２２６は、８とコードブロックの数量との最小公倍数を決定し；最小公倍数によって割り切れ、かつ整数トランスポートブロックサイズより小さくない整数のうちの整数トランスポートブロックサイズに最も近い整数に基づいて、最終トランスポートブロックサイズを決定することができる。１バイトは、８ビットを含むので、８とコードブロックの数量との最小公倍数で割り切れることは、トランスポートブロックのブロック分割後の８の倍数と等しいコードブロックサイズとの両方を確実にする。
【００６８】
本開示において、「ＸがＹで割り切れる」および「ＸがＹによって均一に割り切れる」という表現は、ＸがＹの（正の整数の）倍数であり、余りがないことを意味するために同義的に使用されることができる。
【００６９】
さらに別の実施形態において、最終トランスポートブロックサイズ決定器２２６は、量子化されたトランスポートブロックサイズの組を発生させ、量子化組におけるあるトランスポートブロックから次のトランスポートブロックへの量子化ステップは、トランスポートブロックサイズが増加するにつれて、増加する。最終トランスポートブロックサイズ決定器２２６は、次いで、量子化組の中にあり、かつ修正されたトランスポートブロックサイズより小さくないトランスポートブロックサイズのうちの修正されたトランスポートブロックサイズに最も近いトランスポートブロックサイズに基づいて、最終トランスポートブロックサイズを決定する。
【００７０】
なおも別の実施形態において、最終トランスポートブロックサイズ決定器２２６は、トランスポートブロックサイズの組を発生させ、量子化組におけるあるトランスポートブロックから次のトランスポートブロックへの量子化ステップは、量子化組の粒度がある閾値より大きいことを確実にするように決定され；量子化組の中にあり、かつ修正されたトランスポートブロックサイズより小さくないトランスポートブロックサイズのうちの修正されたトランスポートブロックサイズに最も近いトランスポートブロックサイズに基づいて、最終トランスポートブロックサイズを決定する。本実施形態において、量子化ステップは、最終トランスポートブロックサイズがトランスポートブロックの初期伝送および再伝送の両方に関して同じであることを確実にするように決定される。
【００７１】
電力モジュール２０８は、１つ以上のバッテリ等の電源と、電力調整器とを含み、調整された電力を図２の上で説明されるモジュールの各々に提供することができる。いくつかの実施形態において、ＵＥ２００が、専用外部電源（例えば、壁電気コンセント）に結合される場合、電力モジュール２０８は、変圧器と、電力調整器とを含むことができる。
【００７２】
上で議論される種々のモジュールは、バスシステム２３０によって一緒に結合される。バスシステム２３０は、データバス、および、例えば、データバスに加えて、電力バス、制御信号バス、および／またはステータス信号バスを含むことができる。ＵＥ２００のモジュールは、任意の好適な技法および媒体を使用して互いに動作可能に結合され得ることを理解されたい。
【００７３】
いくつかの別個のモジュールまたはコンポーネントが、図２に図示されるが、当業者は、モジュールのうちの１つ以上のものが、組み合わせられるか、または普通に実装され得ることを理解するであろう。例えば、プロセッサ２０４は、プロセッサ２０４に関して上で説明される機能性のみを実装するのではなく、中間トランスポートブロックサイズ計算器２２２に関して上で説明される機能性も実装することができる。逆に、図２に図示されるモジュールの各々は、複数の別個のコンポーネントまたは要素を使用して実装されることができる。
【００７４】
図３は、本開示のいくつかの実施形態による無線通信におけるトランスポートブロックサイズを決定するために、ＵＥ、例えば、図２のＵＥ２００によって実施される方法３００に関するフローチャートを図示する。動作３０２において、ＵＥは、ＢＳから、ＵＥとＢＳとの間で伝送されるべきトランスポートブロックに関連する伝送パラメータを含む制御情報を受信する。動作３０４において、ＵＥは、伝送パラメータに基づいて、トランスポートブロックに関する中間トランスポートブロックサイズを計算する。ＵＥは、動作３０６において、少なくとも１つのイベントに応答して、中間トランスポートブロックサイズを修正し、修正されたトランスポートブロックサイズを発生させる。動作３０８において、ＵＥは、量子化組の中にあり、かつ修正されたトランスポートブロックサイズより小さくないトランスポートブロックサイズのうちの修正されたトランスポートブロックサイズに最も近いトランスポートブロックサイズに基づいて、最終トランスポートブロックサイズを決定する。
【００７５】
図４は、本開示のいくつかの実施形態によるＢＳ４００のブロック図を図示する。ＢＳ４００は、本明細書に説明される種々の方法を実装するように構成され得るデバイスの例である。図４に示されるように、ＢＳ４００は、システムクロック４０２と、プロセッサ４０４と、メモリ４０６と、送信機４１２および受信機４１４を備える送受信機４１０と、電力モジュール４０８と、制御情報発生器４２０と、中間トランスポートブロックサイズ計算器４２２と、トランスポートブロックサイズ修正器４２４と、最終トランスポートブロックサイズ決定器４２６とを含む筐体４４０を含む。
【００７６】
本実施形態において、システムクロック４０２、プロセッサ４０４、メモリ４０６、送受信機４１０、および電力モジュール４０８は、ＵＥ２００におけるシステムクロック２０２、プロセッサ２０４、メモリ２０６、送受信機２１０、および電力モジュール２０８と同様に機能する。アンテナ４５０またはマルチアンテナアレイ４５０が、典型的に、筐体４４０に取り付けられ、送受信機４１０に電気的に結合される。
【００７７】
制御情報発生器４２０は、ＢＳ４００とＵＥとの間で、例えば、ＢＳ４００からＵＥ２００に伝送されるべきトランスポートブロックに関連する複数の伝送パラメータを発生させ得る。複数の伝送パラメータは、トランスポートブロックの伝送のために構成されたレイヤの数量、トランスポートブロックの伝送のために構成された変調次数、トランスポートブロックの伝送のために構成された符号レート、トランスポートブロックの伝送のために構成された物理リソースブロックの数量、各物理リソースブロックあたりのリソース要素の数量、物理リソースブロックの数量と物理リソースブロックあたりのリソース要素の数量との積であるトランスポートブロックの伝送のためのリソース要素の合計数量、および、変調次数と符号レートとの積に等しいトランスポートブロックの伝送のために構成されたスペクトル効率のうちの少なくとも１つを含み得る。制御情報発生器４２０は、発生させられた伝送パラメータを中間トランスポートブロックサイズ（ＴＢＳ）を計算するための中間トランスポートブロックサイズ計算器４２２に、および中間ＴＢＳを修正し、修正されたＴＢＳを発生させるためのトランスポートブロックサイズ修正器４２４に送信し得る。制御情報発生器４２０は、複数の伝送パラメータおよびトランスポートブロックサイズ、例えば、以降で議論されるような最終トランスポートブロックサイズを含む制御情報を発生させ、送信機４１２を介してＵＥにも伝送する。
【００７８】
一実施形態において、制御情報は、ダウンリンク制御情報（ＤＣＩ）である。一例において、最終トランスポートブロックサイズは、ＢＳ４００によって決定され、それによって、ＢＳは、ＵＥ２００にＤＣＩを介して最終トランスポートブロックサイズについて通知する。別の例において、最終トランスポートブロックサイズは、ＵＥ２００によって決定され、それによって、ＢＳ４００によって伝送されるＤＣＩは、最終トランスポートブロックサイズを含まない。さらに別の例において、最終トランスポートブロックサイズは、同じ規則に従って、ＢＳ４００およびＵＥ２００の両方によって決定され、それによって、ＢＳ４００によって伝送されるＤＣＩは、最終トランスポートブロックサイズを含まない。
【００７９】
この例における中間トランスポートブロックサイズ計算器４２２は、制御情報発生器４２０から複数の伝送パラメータを受信する。複数の伝送パラメータに基づいて、中間トランスポートブロックサイズ計算器４２２は、ＢＳ４００からＵＥ２００に伝送されるべきトランスポートブロックに関する中間ＴＢＳを計算する。一実施形態において、中間トランスポートブロックサイズ計算器４２２は、図１Ｂおよび図１Ｃに対応する上で言及される方法に基づいて、中間ＴＢＳを計算することができる。中間トランスポートブロックサイズ計算器４２２は、中間ＴＢＳを修正し、修正されたＴＢＳを発生させるために、中間ＴＢＳをトランスポートブロックサイズ修正器４２４に伝送する。
【００８０】
この例におけるトランスポートブロックサイズ修正器４２４は、制御情報発生器４２０から複数の伝送パラメータを受信し、中間トランスポートブロックサイズ計算器４２２から中間ＴＢＳを受信することができる。トランスポートブロックサイズ修正器４２４は、複数の伝送パラメータのうちの少なくとも１つと少なくとも１つの閾値とに基づいて、条件が満たされるかどうかを最初に決定する。一実施形態において、以下のうちの少なくとも１つが起こるとき、条件が満たされる：物理リソースブロックの数量が、第１の閾値、例えば、２以下のとき；変調次数が、第２の閾値、例えば、４以下のとき；リソース要素の合計数量が、第３の閾値より小さいとき；および、中間トランスポートブロックが、第４の閾値、例えば、４，０００より小さいとき。
【００８１】
条件が満たされると、トランスポートブロックサイズ修正器４２４は、中間トランスポートブロックサイズを修正し、修正されたトランスポートブロックサイズを発生させる。一実施形態において、条件が満たされると、トランスポートブロックサイズ修正器４２４は、物理リソースブロックの数量、変調次数、およびスペクトル効率のうちの少なくとも１つに基づいて、補正係数を決定し、中間トランスポートブロックサイズを補正係数で乗算し、修正されたトランスポートブロックサイズを発生させる。
【００８２】
別の実施形態において、条件が満たされると、トランスポートブロックサイズ修正器４２４は、リソース要素の合計数量と量子化後のリソース要素数量の組とに基づいて、リソース要素の修正された数量を決定し、中間トランスポートブロックの計算においてリソース要素の合計数量をリソース要素の修正された数量と置換し、修正されたトランスポートブロックサイズを発生させる。
【００８３】
さらに別の実施形態において、条件が満たされると、トランスポートブロックサイズ修正器４２４は、物理リソースブロックの数量、変調次数、およびスペクトル効率のうちの少なくとも１つに基づいて、修正された符号レートを決定し、中間トランスポートブロックサイズの計算において符号レートを修正された符号レートと置換し、修正されたトランスポートブロックサイズを発生させる。
【００８４】
異なる実施形態において、修正されたトランスポートブロックサイズは、トランスポートブロックの各々のＣＲＣに関するビットを含む。計算されたトランスポートブロックサイズに基づくトランスポートブロックの伝送は、計算されたトランスポートブロックサイズが中間トランスポートブロックサイズであるときのそれよりも、計算されたトランスポートブロックサイズが修正されたトランスポートブロックサイズであるときにより良好なリンク安定性につながる。リンク安定性は、計算されたトランスポートブロックサイズと伝送のために使用される実際のトランスポートブロックサイズとの間の不一致を所与として、トランスポートブロックの伝送に関するターゲットブロックエラーレートを達成するために要求される信号対雑音比の変化に基づいて決定され得る。トランスポートブロックサイズ修正器４２４は、トランスポートブロックの伝送に関する最終ＴＢＳを決定するために、修正されたＴＢＳを最終トランスポートブロックブロックサイズ決定器４２６に送信する。
【００８５】
この例における最終トランスポートブロックサイズ決定器４２６は、制御情報発生器４２０から複数の伝送パラメータを受信し、トランスポートブロックサイズ修正器４２４から修正されたＴＢＳを受信し得る。最終トランスポートブロックサイズ決定器４２６は、トランスポートブロックの伝送に関する修正されたトランスポートブロックサイズに基づいて、最終トランスポートブロックサイズを決定することができる。
【００８６】
一実施形態において、最終トランスポートブロックサイズ決定器４２６は、量子化されたトランスポートブロックサイズの組を発生させ、量子化組におけるあるトランスポートブロックから次のトランスポートブロックへの量子化ステップは、以下の伝送パラメータのうちの少なくとも１つの関数である：物理リソースブロックの数量、変調次数、およびスペクトル効率。最終トランスポートブロックサイズ決定器４２６は、次いで、量子化組の中にあり、かつ修正されたトランスポートブロックサイズより小さくないトランスポートブロックサイズのうちの修正されたトランスポートブロックサイズに最も近いトランスポートブロックサイズに基づいて、最終トランスポートブロックサイズを決定する。
【００８７】
別の実施形態において、最終トランスポートブロックサイズ決定器４２６は、修正されたトランスポートブロックサイズを最も近いより大きい整数に切り上げ、整数トランスポートブロックサイズを発生させ；整数トランスポートブロックサイズとチャネルコーディングに関連するブロック分割規則とに基づいて、トランスポートブロックの各々におけるコードブロックの数量を決定し；整数トランスポートブロックサイズおよびコードブロックの数量に基づいて、最終トランスポートブロックサイズを計算し、トランスポートブロックのブロック分割後の８の倍数と等しいコードブロックサイズとを確実にする。例えば、最終トランスポートブロックサイズ決定器４２６は、８とコードブロックの数量との最小公倍数を決定し；最小公倍数によって割り切れ、かつ整数トランスポートブロックサイズより小さくない整数のうちの整数トランスポートブロックサイズに最も近い整数に基づいて、最終トランスポートブロックサイズを決定することができる。１バイトは、８ビットを含むので、８とコードブロックの数量との最小公倍数で割り切れることは、トランスポートブロックのブロック分割後の８の倍数と等しいコードブロックサイズとの両方を確実にする。
【００８８】
さらに別の実施形態において、最終トランスポートブロックサイズ決定器４２６は、量子化されたトランスポートブロックサイズの組を発生させ、量子化組におけるあるトランスポートブロックから次のトランスポートブロックへの量子化ステップは、トランスポートブロックサイズが増加するにつれて、増加する。最終トランスポートブロックサイズ決定器４２６は、次いで、量子化組の中にあり、かつ修正されたトランスポートブロックサイズより小さくないトランスポートブロックサイズのうちの修正されたトランスポートブロックサイズに最も近いトランスポートブロックサイズに基づいて、最終トランスポートブロックサイズを決定する。
【００８９】
なおも別の実施形態において、最終トランスポートブロックサイズ決定器４２６は、トランスポートブロックサイズの組を発生させ、量子化組におけるあるトランスポートブロックから次のトランスポートブロックへの量子化ステップは、量子化組の粒度がある閾値より大きいことを確実にするように決定され；量子化組の中にあり、かつ修正されたトランスポートブロックサイズより小さくないトランスポートブロックサイズのうちの修正されたトランスポートブロックサイズに最も近いトランスポートブロックサイズに基づいて、最終トランスポートブロックサイズを決定する。本実施形態において、量子化ステップは、最終トランスポートブロックサイズがトランスポートブロックの初期伝送および再伝送の両方に関して同じであることを確実にするように決定される。
【００９０】
上で議論される種々のモジュールは、バスシステム４３０によって一緒に結合される。バスシステム４３０は、データバス、および、例えば、データバスに加えて、電力バス、制御信号バス、および／またはステータス信号バスを含むことができる。ＢＳ４００のモジュールは、任意の好適な技法および媒体を使用して互いに動作可能に結合され得ることを理解されたい。
【００９１】
いくつかの別個のモジュールまたはコンポーネントが、図４に図示されるが、当業者は、モジュールのうちの１つ以上のものが、組み合わせられるか、または、普通に実装され得ることを理解するであろう。例えば、プロセッサ４０４は、プロセッサ４０４に関して上で説明される機能性のみを実装するのではなく、中間トランスポートブロックサイズ計算器４２２に関して上で説明される機能性も実装することができる。逆に、図４に図示されるモジュールの各々は、複数の別個のコンポーネントまたは要素を使用して実装されることができる。
【００９２】
図５は、本開示のいくつかの実施形態による無線通信におけるトランスポートブロックサイズを決定するために、ＢＳ、例えば、図４のＢＳ４００によって実施される方法５００に関するフローチャートを図示する。動作５０２において、ＢＳは、ＢＳとＵＥとの間で伝送されるべきトランスポートブロックに関連する複数の伝送パラメータを発生させる。動作５０４において、ＢＳは、複数の伝送パラメータに基づいて、トランスポートブロックに関する中間トランスポートブロックサイズを計算する。ＢＳは、動作５０６において、少なくとも１つのイベントに応答して、中間トランスポートブロックサイズを修正し、修正されたトランスポートブロックサイズを発生させる。ＢＳは、動作５０８において、量子化組の中にあり、かつ修正されたトランスポートブロックサイズより小さくないトランスポートブロックサイズのうちの修正されたトランスポートブロックサイズに最も近いトランスポートブロックサイズに基づいて、最終トランスポートブロックサイズを決定する。動作５１０において、ＢＳは、複数の伝送パラメータおよび最終トランスポートブロックサイズを含む制御情報をＵＥに伝送する。
【００９３】
一実施形態において、図２−５のＢＳ４００およびＵＥ２００の役割は、交換され、ＵＥ２００が、アップリンク制御情報を発生させ、ＢＳ４００に伝送する。ＴＢＳは、ダウンリンク伝送に関して上で議論される様式と類似する様式で、アップリンク伝送に関してＵＥ２００からＢＳ４００に伝送されるべきトランスポートブロックに関して計算および決定される。
【００９４】
本開示の異なる実施形態が、以降で詳細に説明されるであろう。本開示における実施形態および例の特徴は、矛盾することなく任意の様式で互いに組み合わせられ得ることに留意されたい。
【００９５】
本開示の種々の実施形態によると、ＴＢＳ計算方法が、提供され、新無線（ＮＲ）アクセス技術通信システムに適用されることができる。本開示に提案される方法は、第５世代（５Ｇ）モバイル通信システムまたは他の無線もしくは有線通信システムに適用され得る。データ伝送方向は、基地局がデータ（ダウンリンク伝送サービスデータ）をモバイルユーザに送信すること、またはモバイルユーザがデータ（アップリンク伝送サービスデータ）を基地局に送信することである。モバイルユーザは、モバイルデバイス、アクセス端末、ユーザ端末、加入者ステーション、加入者ユニット、モバイルステーション、遠隔ステーション、遠隔端末、ユーザエージェント、ユーザ機器、ユーザデバイス、またはある他の専門用語を含む。基地局は、アクセスポイント（ＡＰ）、ノードＢ、無線ネットワークコントローラ（ＲＮＣ）、進化型Ｎｏｄｅ  Ｂ（ｅＮＢ）、基地局コントローラ（ＢＳＣ）、基地送受信機局（ＢＴＳ）、基地局（ＢＳ）、送受信機機能（ＴＦ）、無線ルータ、無線送受信機、基本サービス単位、拡張サービス単位、無線基地局（ＲＢＳ）、またはある他の専門用語を含む。本開示に提供されるＴＢＳ計算方法は、ＮＲアクセス技術において、拡張モバイルブロードバンド（ｅＭＢＢ）シナリオ、高信頼低遅延通信（ＵＲＬＬＣ）シナリオ、または大規模マシンタイプ通信（ｍＭＴＣ）シナリオに適用され得る。
【００９６】
第１の実施形態において、ＴＢＳ計算に関する関数モデルは、ＴＢＳ＝Ｆ（β）であり、具体的形態が、以下のように示される。
【数１０】
2021512517.tif 000011
【００９７】
上記の式において、補正係数βは、（ａ）アップリンクまたはダウンリンクに関して分配されるＰＲＢの数、および／または、（ｂ）変調およびコーディングの次数Ｑｍ、および／または、（ｃ）符号レートＲ（またはスペクトル効率）の関数であり；ｆｕｎｃｔｉｏｎ（・）は、元の値の四捨五入、切り上げ、切り捨て、または保持を示し；Ｙは、ＰＲＢあたりのＲＥの数であるＸの量子化値であり；δは、ＴＢＳの量子化ステップである。補正係数は、ＰＲＢが小さいとき、およびＭＣＳの次数が低いときにリンク安定性を改良するために主に追加されるので、βの値は、Ｑｍおよび
【数１１】
2021512517.tif 000012
によって決定されることができる。
【００９８】
第１の状況において、ＰＲＢが小さいとき、および／または、ＭＣＳ次数が低いとき、補正係数は、１に近い端数、例えば、０．９であるように設定される。単純なハードウェア実装のために、補正係数の値は、
【数１２】
2021512517.tif 000013
と見なされることができる。第２の状況において、ＭＣＳ次数が高く、分配されるスペクトル効率（ＳＥ）がＭＣＳテーブルにおける変調次数ホッピング（変調次数がＭＣＳテーブルにおけるあるＭＣＳインデックスから隣接するＭＣＳインデックスに変化する場合）におけるＳＥと同じであるときも、補正係数は、１に近い端数、例えば、０．９４であるように設定される。単純なハードウェア実装のために、補正係数の値は、
【数１３】
2021512517.tif 000014
とされることができる。一般に、第２の状況における補正係数は、第１の状況におけるそれより大きい。各ＰＲＢにおけるＲＥ値が変化すると、対応して取得されるリンク安定性も、変化するであろう。したがって、補正係数の値は、異なるＲＥ値に関して異なり得る。例えば、各ＰＲＢにおけるＲＥ値が１２０であるとき、補正係数は、１であるように設定されることができる。
【００９９】
ＰＲＢがより大きい、および／または、ＭＣＳの次数がより高いとき、補正係数の値は、１であるように設定される。ＰＲＢがより大きく、ＭＣＳがより高いとき、ＴＢＳは、より大きいので、実際に利用可能なＴＢＳの間隔も、より大きい。したがって、計算されたＴＢＳは、良好なリンク安定性を取得するために修正される必要はない。
【０１００】
一例によると、補正係数βの値が、以下の表に示される。
【表２】
2021512517.tif 000015
【０１０１】
補正係数βの関数モデルが、下で示される。
【数２０】
2021512517.tif 000016
【０１０２】
上記において、ｘは、ＰＲＢの数を示し、例えば、ｘ＝６であり；ＳｌｏｗｅｒＭＣＳは、低次変調におけるＱｍ値の組を表し；ＳｈｉｇｈｅｒＭＣＳは、高次変調におけるＱｍ値の組を表し；ＳｏｖｅｒｌａｐｐｉｎｇＳＥ＿ｈｉｇｈ＿ｈｉｇｈｅｒＭＣＳは、高次変調におけるＳＥ重複（ＳＥ値がＭＣＳテーブルにおけるあるＭＣＳインデックスから隣接するＭＣＳインデックスに変化しない場合）における２つの異なる変調次数のより大きいＱｍ値を表す。ＰＲＢの数が小さく、ＭＣＳの次数が低いとき、値β＝（２ｎ−１）／２ｎは、より良好な性能を達成することができないだけでなく、ハードウェアによって実装することも容易ではない。例えば、ｎ１の値が５であるとき、β＝３１／３２であり、ｎ２の値が６であるとき、β＝６３／６４である。ハードウェア実装のプロセスにおいて、ＴＢＳまたは中間ＴＢＳ（ＴＢＳ＿ｔｅｍｐと称される）を切り捨て、減算を実施し、対応するβの乗算を完了することのみが必要である。
【０１０３】
本実施形態においてＴＢＳを決定するためのステップは、以下を含む。
【０１０４】
ステップ１、取得された伝送パラメータＱｍ、Ｒ、ν、Ｙ、および
【数２１】
2021512517.tif 000017
に従って、ＰＲＢの数およびＭＣＳ次数に基づいて、βの値を決定する。
【０１０５】
ステップ２、２つのケースに分割され得るＴＢＳ中間値ＴＢＳ＿ｔｅｍｐを算する。
【０１０６】
ケース１：第１に、ＴＢＳ＿ｔｅｍｐを取得するために計算し、切り上げるために、式
【数２２】
2021512517.tif 000018
が、使用される。ＴＢＳ＿ｔｅｍｐは、チャネルコーディングのコードブロック分割規則に従って、ブロックに分割される。ＴＢＳ＿ｔｅｍｐがトランスポートブロックＣＲＣチェックビット（ＴＢ＿ＣＲＣ）を含むことに留意されたい。第２に、補正係数βでＴＢＳ＿ｔｅｍｐを乗算することによってＴＢＳ＿ｔｅｍｐを補正する。最後に、伝送される必要があるコードブロックの数がＣであると仮定して、８の倍数かつ等しいＣＢＳを伴うＴＢＳを取得するために、ＴＢＳ＿ｔｅｍｐが、８とＣとの最小公倍数であるＬＣＭ（８，Ｃ）で割り切れることが要求される。このプロセスに関する式が、下で示される。
【数３０】
2021512517.tif 000019
【０１０７】
ケース２：式
【数３１】
2021512517.tif 000020
が、修正されたＴＢＳ＿ｔｅｍｐを計算するために使用される。ＴＢＳ＿ｔｅｍｐは、チャネルコーディングのコードブロック分割規則に従って、ブロックに分割される。ＴＢＳ＿ｔｅｍｐがトランスポートブロックＣＲＣチェックビット（ＴＢ＿ＣＲＣ）を含むことに留意されたい。伝送される必要があるコードブロックの数がＣであると仮定して、８の倍数かつ等しいＣＢＳを伴うＴＢＳを取得するために、ＴＢＳ＿ｔｅｍｐが、８とＣとの最小公倍数であるＬＣＭ（８，Ｃ）で割り切れることが要求される。このプロセスに関する式が、下で示される。
【数４０】
2021512517.tif 000021
【０１０８】
図６Ａは、本実施形態によるリンク安定性変化対ＭＣＳインデックスの例示的シミュレーション結果６１０を図示する。図６Ａは、ターゲットＢＬＥＲ＝１０％を達成するために本実施形態における方法を使用して計算および修正されたＴＢＳを用いてリンク安定性を表すためにデルタＳＮＲ（すなわち、ΔＳＮＲ）を利用している。図６Ａに示されるように、ＭＣＳインデックスが低い（例えば、０〜１０）とき、デルタＳＮＲは、０．６〜１．２で変動し、それは、図１Ｂに示される同じＭＣＳ範囲内の変動を下回る。
【０１０９】
図６Ｂは、本実施形態によるＳＮＲ性能変化対ＭＣＳインデックスの例示的シミュレーション結果６２０を図示する。図６Ｂに示されるように、ＭＣＳインデックスが低い（例えば、０〜１０）とき、ＳＮＲ曲線は、ＭＣＳインデックスが高い（例えば、２０〜２８）ときのＳＮＲ曲線ほど平滑ではない。図６Ｂに示されるように、ＭＣＳインデックス範囲（例えば、０〜１０）を所与として、より低いＰＲＢ、例えば、ＰＲＢ＝１であるときに対応するＳＮＲ曲線は、より高いＰＲＢ、例えば、ＰＲＢ＝６であるときに対応するＳＮＲ曲線ほど平滑ではなく、より平滑なＳＮＲ曲線は、より安定したリンクを示す。
【０１１０】
下記の表６Ｃは、第１の実施形態における上で言及される方法に基づいて、補正係数βを用いて計算および補正されたＴＢＳ値を示し、分配されるリソースは、
【数４１】
2021512517.tif 000022
である。
【表６Ｃ】
2021512517.tif 000023
【０１１１】
下記の６Ｄは、隣接するＭＣＳのΔＳＮＲのシミュレートされた値を示し、ＴＢＳ値は、第１の実施形態における上で言及される方法に基づいて、補正係数βを用いて計算および補正され、分配されるリソース
【数４２】
2021512517.tif 000024
であり、ターゲットＢＬＥＲ＝１０％である。
【表６Ｄ】
2021512517.tif 000025
【０１１２】
第２の実施形態において、ＴＢＳ計算に関する関数モデルは、ＴＢＳ＝Ｆ（ＮＲＥ）であり、具体的形態が、以下のように示される。
【数５０】
2021512517.tif 000026
【０１１３】
上記の式において、ＮＲＥは、分配されるＲＥの数を表し、すなわち、
【数５１】
2021512517.tif 000027
であり；ＮＲＥの値は、変調およびコーディングの次数Ｑｍの関数であり；ｆｕｎｃｔｉｏｎ（・）は、元の値の四捨五入、切り上げ、切り捨て、または保持を示し；Ｙは、ＰＲＢあたりのＲＥの数であるＸの量子化値であり；δは、ＴＢＳの量子化ステップである。ＮＲＥに対する修正は、合計ＲＥの数が小さく、ＭＣＳの次数が低いときにリンク安定性を改良するためである。ＮＲＥの修正された値は、以下のように得られる。
【０１１４】
第１の状況において、ＲＥの合計数が小さく、ＭＣＳ変調次数が低いとき、ＲＥの合計数は、量子化後のＲＥの組の最小値または任意の他の値であるように設定される。例えば、量子化後のＲＥの組は、ＳＹ＝｛１２０，１２６，１３２・・・｝であり、次いで、１２０が、ＴＢＳによって計算されたＲＥの合計数とされる。第２の状況において、ＲＥの合計数が高いとき、またはＭＣＳ変調次数が高いとき、ＲＥの合計数は、分配されるパラメータによって計算されたＲＥの合計数であるように設定され、すなわち、
【数５２】
2021512517.tif 000028
である。
【０１１５】
一例によると、ＲＥの合計数は、以下の表において設定される。
【表６Ｘ】
2021512517.tif 000029
【０１１６】
ＲＥの合計数の関数モデルが、下で示される。
【数６０】
2021512517.tif 000030
【０１１７】
上記において、ｘの値は、概して、２８０であり；ＳｌｏｗｅｒＭＣＳは、低次ＭＣＳに関するＱｍ値の組を表す。例えば、ＳｌｏｗｅｒＭＣＳ＝｛２，４｝、すなわち、Ｑｍの値は、２または４であり得る。ＳＹは、Ｙに関する値の集合であり、例えば、ＳＹ＝｛１２０，１２６，１３２，・・・｝であり、ｍｉｎ（ＳＹ）は、Ｙの値の組における最小値を表す。
【０１１８】
本実施形態においてＴＢＳを決定するためのステップは、以下を含む。
【０１１９】
ステップ１、取得された伝送パラメータＱｍ、Ｒ、ν、Ｙ、および
【数６１】
2021512517.tif 000031
に従って、ＮＲＥの値を決定する。
【０１２０】
ステップ２、Ｑｍ×Ｒ×ν×ＮＲＥに基づいて、ＴＢＳ＿ｔｅｍｐ．を取得するために計算し、切り上げる。ＴＢＳ＿ｔｅｍｐは、トランスポートブロックＣＲＣチェックビット（ＴＢ＿ＣＲＣ）を含む。
【０１２１】
ステップ３、ＴＢＳ＿ｔｅｍｐは、チャネルコーディングのコードブロック分割規則に従って、ブロックに分割される。分割されたコードブロックの数がＣであると仮定して、ＴＢＳバイトが揃えられ、分割されたコードブロックのサイズが等しいことを確実にするために、ＴＢＳ＿ｔｅｍｐは、ＬＣＭ（８，Ｃ）で割り切れることが必要である。このプロセスに関する式は、以下の通りである。
【数７０】
2021512517.tif 000032
【０１２２】
図７Ａは、本実施形態によるリンク安定性変化対ＭＣＳインデックスの例示的シミュレーション結果７１０を図示する。図７Ａは、ターゲットＢＬＥＲ＝１０％を達成するために本実施形態における方法を使用して計算および修正されたＴＢＳを用いてリンク安定性を表すために、デルタＳＮＲ（すなわち、ΔＳＮＲ）を利用している。図７Ａに示されるように、ＭＣＳインデックスが低い（例えば、０〜１０）とき、デルタＳＮＲは、０．６〜１．５で変動し、図１Ｂに示される同じＭＣＳ範囲内の変動を下回る。
【０１２３】
図７Ｂは、本実施形態によるＳＮＲ性能変化対ＭＣＳインデックスの例示的シミュレーション結果７２０を図示する。図７Ｂに示されるように、ＭＣＳインデックスが低い（例えば、０〜１０）とき、ＳＮＲ曲線は、ＭＣＳインデックスが高い（例えば、２０〜２８）ときのＳＮＲ曲線ほど平滑ではない。図７Ｂに示されるように、ＭＣＳインデックス範囲（例えば、０〜１０）を所与として、より低いＰＲＢ、例えば、ＰＲＢ＝１であるときに対応するＳＮＲ曲線は、より高いＰＲＢ、例えば、ＰＲＢ＝６であるときに対応するＳＮＲ曲線ほど平滑ではなく、より平滑なＳＮＲ曲線は、より安定したリンクを示す。
【０１２４】
下記の表７Ｃは、第２の実施形態における上で言及される方法に基づいて計算されたＴＢＳ値を示し、新しいＲＥ値制約ＮＲＥ＝１２０である。
【表７Ｃ】
2021512517.tif 000033
【０１２５】
下記の表７Ｄは、隣接するＭＣＳのΔＳＮＲのシミュレートされた値を示し、ＴＢＳ値は、第２の実施形態における上で言及される方法に基づいて計算され、新しいＲＥ値制約
【数７１】
2021512517.tif 000034
であり、ターゲットＢＬＥＲ＝１０％である。
【表７Ｄ】
2021512517.tif 000035
【０１２６】
第３の実施形態において、ＴＢＳ計算に関する関数モデルは、ＴＢＳ＝Ｆ（Ｒ）であり、具体的形態が、以下のように示される。
【数８０】
2021512517.tif 000036
【０１２７】
上記の式において、符号レートＲは、（ａ）ダウンリンクまたはアップリンクに関して分配されるＰＲＢの数、および、（ｂ）変調およびコーディングの次数Ｑｍの関数であり；ｆｕｎｃｔｉｏｎ（・）は、元の値の四捨五入、切り上げ、切り捨て、または保持を示し；Ｙは、ＰＲＢあたりのＲＥの数であるＸの量子化値であり；δは、ＴＢＳの量子化ステップである。符号レートＲまたはスペクトル効率ＳＥに対する修正は、主に、ＰＲＢが小さく、ＭＣＳの次数が低いときにリンク安定性を改良するためである。ＲまたはＳＥの修正された値は、以下の２つの状況に従って決定されることができる。
【０１２８】
第１の状況において、ＰＲＢの数が小さいか、またはＭＣＳの変調次数が低いか、または、ＭＣＳの変調次数が高いが、ＳＥ重複（ＳＥ値がＭＣＳテーブルにおけるあるＭＣＳインデックスから隣接するＭＣＳインデックスに変化しない場合）にあるとき、ＭＣＳテーブルにおける符号レートＲまたはスペクトル効率ＳＥは、Ｒ’またはＳＥ’を取得するために補正される。この場合、Ｒ’またはＳＥ’は、ＴＢＳの符号レートまたはスペクトル効率を計算するために使用される。例えば、ダウンリンク６４ＱＡＭ  ＭＣＳテーブルにおけるＩＭＣＳが０〜１７であるとき、Ｒ’の値は、｛０．１０６４，０．１３８７，０．１８１６，０．２２２７，０．２７３４，０．３３５９，０．３９８４，０．４６６８，０．５３４２，０．６０２５，０．３０１８，０．３３５９，０．３８５７，０．４３４６，０．４９１２，０．５４６９，０．６０５５，０．４０３３｝であり得るか、または、ＳＥ’の値は、｛０．２１３１，０．２７７９，０．３６２７，０．４４４８，０．５４６９，０．６７２１，０．７９７３，０．９３３１，１．０６８９，１．２０５６，１．２０５６，１．３４２４，１．５４１２，１．７４０１，１．９６３８，２．１８１８，２．４２，２．４２｝であり得る。第２の状況において、ＰＲＢの数が大きいか、またはＭＣＳ変調次数が高いが、ＳＥ重複（ＳＥ値がＭＣＳテーブルにおけるあるＭＣＳインデックスから隣接するＭＣＳインデックスに変化しない場合）にないとき、ＭＣＳテーブルにおける対応する符号レートＲは、ＴＢＳを計算するために使用される。
【０１２９】
符号レートＲの関数モデルが、下で示される。
【数８５】
2021512517.tif 000037
スペクトル効率ＳＥの関数モデルが、下で示される。
【数９０】
2021512517.tif 000038
【０１３０】
ここで、ｘは、分配されるＰＲＢの数であり、例えば、ｘは、６の値を有する。
【０１３１】
一例によると、符号レートおよびスペクトル効率の値は、ダウンリンク６４  ＱＡＭに関して、以下の表に設定される。
【表７Ｘ】
2021512517.tif 000039
【０１３２】
本実施形態においてＴＢＳを決定するためのステップは、以下を含む。
【０１３３】
ステップ１、取得された伝送パラメータＱｍ、Ｒ、ν、Ｙ、および
【数９１】
2021512517.tif 000040
に従って、符号レートＲの値を決定する。ＰＲＢの数が小さく、ＭＣＳ変調次数が低いとき、Ｒ＝Ｒ’であり、ＰＲＢの数が大きいとき、またはＭＣＳ変調次数が高いとき、Ｒ＝Ｒである。
【０１３４】
ステップ２、Ｑｍ×Ｒ×ν×ＮＲＥに基づいて、ＴＢＳ＿ｔｅｍｐを取得するために計算し、切り上げる。ＴＢＳ＿ｔｅｍｐは、トランスポートブロックＣＲＣチェックビット（ＴＢ＿ＣＲＣ）を含む。
【０１３５】
図８Ａは、本実施形態によるリンク安定性変化対ＭＣＳインデックスの例示的シミュレーション結果８１０を図示する。図８Ａは、リンク安定性を表すためにデルタＳＮＲ（すなわち、ΔＳＮＲ）を利用し、ＴＢＳは、ターゲットＢＬＥＲ＝１０％を達成するように、本実施形態における方法を使用して計算および修正された。図８Ａに示されるように、ＭＣＳインデックスが低い（例えば、０〜１０）とき、デルタＳＮＲは、０．６〜１．２で変動し、図１Ｂに示される同じＭＣＳ範囲内の変動を下回る。
【０１３６】
図８Ｂは、本実施形態によるＳＮＲ性能変化対ＭＣＳインデックスの例示的シミュレーション結果８２０を図示する。図８Ｂに示されるように、ＭＣＳインデックスが低い（例えば、０〜１０）とき、ＳＮＲ曲線は、ＭＣＳインデックスが高い（例えば、２０〜２８）ときのＳＮＲ曲線ほど平滑ではない。図８Ｂに示されるように、ＭＣＳインデックス範囲（例えば、０〜１０）を所与として、より低いＰＲＢ、例えば、ＰＲＢ＝１であるときに対応するＳＮＲ曲線は、より高いＰＲＢ、例えば、ＰＲＢ＝６であるときに対応するＳＮＲ曲線ほど平滑ではなく、より平滑なＳＮＲ曲線は、より安定したリンクを示す。
【０１３７】
下記の表８Ｃは、第３の実施形態における上で言及される方法におけるような、修正された符号レートＲまたは修正されたスペクトル効率ＳＥに基づいて計算されたＴＢＳ値を示し、分配された
【数９２】
2021512517.tif 000041
である。
【表８Ｃ】
2021512517.tif 000042
【０１３８】
下記の表８Ｄは、隣接するＭＣＳのΔＳＮＲのシミュレートされた値を示し、ＴＢＳ値は、第３の実施形態における上で言及される方法におけるように、修正された符号レートＲまたは修正されたスペクトル効率ＳＥに基づいて計算され、分配された
【数９３】
2021512517.tif 000043
であり、ターゲットＢＬＥＲ＝１０％である。
【表８Ｄ】
2021512517.tif 000044
【０１３９】
第４の実施形態において、ＴＢＳが式、例えば、既存の式または上記の実施形態のうちのいずれか１つによる式を使用することによって計算された後、式中のパラメータのうちのいずれか１つが変化する場合、計算されたＴＢＳも、変化するであろう。例えば、初期通過の間に分配されるパラメータは：Ｑｍ＝２、Ｒ＝３０８／１，０２４であり、ＰＲＢの数は、２であり、ＰＲＢあたりのＲＥの数は、１３２であり、ＴＢＳは、１２０である。次いで、再伝送のために分配されるパラメータは：Ｑｍ＝２、Ｒ＝３７９／１，０２４であり、ＰＲＢの数は、２であり、ＰＲＢあたりのＲＥの数は、１３２であり、ＴＢＳが１７６である。２つの計算されたＴＢＳは、異なるので、伝送は、続けられることができない。この問題に応答して、トランスポートブロックサイズが初期伝送中および再伝送中に同じであることに配慮して、ＴＢＳは、本実施形態において量子化される。量子化ステップサイズは、ＴＢＳが増加するときに増加し、それは、伝送に関するＴＢＳ粒度が良好であることを確実にすることも、ＴＢＳが初期伝送および再伝送において同じであることを確実にすることもできる。
【０１４０】
量子化ステップの関数は、以下の通りである。
【数９４】
2021512517.tif 000045
であり、ｎは、整数である。
【０１４１】
８，４４８を下回るＴＢＳ（ＣＲＣチェックビットを含む）の値間隔を例として取り上げると、使用可能であると確認されたＴＢＳの組は、［４０：８：５１２，５２８：１６：１，０２４，１，０５６：３２：２，０４８，２，０４８＋６４：６４：６，１４４，６，１４４＋１２８：１２８：８，４４８］である。計算されたＴＢＳを検索した後、新しい値間隔は、［３２：８：５１２，５２８：１６：９９２，１，０２４：３２：２，０４８，２，１７６：６４：６，１４４，６，２７２：１２８：８，１９２］として取得される。ここで、例えば、４０：８：５１２は、８の間隔を伴う４０〜５１２の値の組を表す。シミュレーション結果は、ＲＥの数が１３２であるとき、中間ＴＢＳを計算した後、この間隔からの最も近いより大きいＴＢＳを実際の伝送されるＴＢＳとすることも適用可能であることを示す。
【０１４２】
計算されたＴＢＳに従って、初期伝送および再伝送においてＴＢＳの一貫性を確実にするために、ＴＢＳの値がＰＲＢの数およびＭＣＳの次数によっても制約され得ることが把握されることができる。すなわち、量子化ステップは、ＰＲＢの数、および／または、ＭＣＳ次数、および／または、スペクトル効率（ＳＥ）、および／または、符号レートの関数でもあり得る。例えば、ＰＲＢの数が３を下回り、ＭＣＳの次数が２であるとき、ＴＢＳは、８の固定された量子化ステップを有し得、ＰＲＢの数が１００を上回り、ＭＣＳの次数が６であり、符号レートが８／９を上回るとき、量子化ステップは、５１２であり得る。このように、初期伝送および再伝送におけるＰＲＢまたはＩＭＣＳのスケジューリング範囲は、拡張されることができ、初期伝送および再伝送におけるＴＢＳは、本範囲内の同じ値を取得することができる。
【０１４３】
図９は、本実施形態によるＳＮＲ性能変化対ＭＣＳインデックスの例示的シミュレーション結果９１０を図示する。図９８Ｂに示されるように、ＭＣＳインデックスが低い（例えば、０〜１０）とき、ＳＮＲ曲線は、ＭＣＳインデックスが高い（例えば、２０〜２８）ときのＳＮＲ曲線ほど平滑ではない。図９Ｂに示されるように、ＭＣＳインデックス範囲（例えば、０〜１０）を所与として、より低いＰＲＢ、例えば、ＰＲＢ＝１であるときに対応するＳＮＲ曲線は、より高いＰＲＢ、例えば、ＰＲＢ＝６であるときに対応するＳＮＲ曲線ほど平滑ではなく、より平滑なＳＮＲ曲線は、より安定したリンクを示す。
【０１４４】
下記の表９は、第４の実施形態における上で言及される方法におけるように、使用可能なＴＢＳの組に基づいて計算されるＴＢＳ値を示し、分配された
【数９５】
2021512517.tif 000046
である。
【表９】
2021512517.tif 000047
【０１４５】
第５の実施形態において、ＴＢＳが式、例えば、既存の式または上記の実施形態のうちのいずれか１つによる式を使用することによって計算された後、ＵＥまたはＢＳは、量子化ＴＢＳの組から、計算されたＴＢＳに最も近いＴＢＳを伝送に関する最終ＴＢＳとして選択する。量子化ＴＢＳの組内の要素｛ＴＢＳｉ，ｉ＝１，２，・・・・・・｝は、以下の条件のうちの少なくとも１つを満たす。
【０１４６】
条件１によると、各要素ＴＢＳｉは、
【数９６】
2021512517.tif 000048
を満たし、Ｘ  ｍｏｄ  Ｙ＝０」は、ＸがＸで割り切れることを意味する。
【０１４７】
条件２によると、各要素ＴＢＳｉは、
【数９７】
2021512517.tif 000049
を満たし、例えば、
【数９８】
2021512517.tif 000050
は、Ｘに関して切り上げることを意味する。
【０１４８】
条件３によると、各要素ＴＢＳｉは、８，４２４以下であり、各要素ＴＢＳｉは、情報ビットの組｛２４：８：４９６，５１２：１６：１，００８，１，０４０：３２：２，０３２，２，０９６：６４：３，８２４，３，８８０：６４：６，１２０，６，２４８：１２８：７，６５６，８，０４０，８，４２４｝に属する。
【０１４９】
条件４によると、ＴＢＳｉが閾値Ｋｔｈｒｅｓｈｏｌｄ以下であるとき、（ＴＢＳＬＴＥ−ＴＢＳＮＲ）／ＴＢＳＮＲ＜０．２であり；ＴＢＳｉが閾値Ｋｔｈｒｅｓｈｏｌｄを上回るとき、（ＴＢＳＬＴＥ−ＴＢＳＮＲ）／ＴＢＳＮＲ＜０．０５である。ここで、Ｋｔｈｒｅｓｈｏｌｄは、範囲｛Ｋｔｈｒｅｓｈｏｌｄ｜Ｋｍｉｎ＜Ｋｔｈｒｅｓｈｏｌｄ＜Ｋｍａｘ｝からの値であり、Ｋｍｉｎは、１０〜１００の整数であり、Ｋｍａｘは、１０，０００を上回る整数である。例えば、Ｋｔｈｒｅｓｈｏｌｄ＝１，０００である。ＴＢＳＬＴＥは、ロングタームエボリューション（ＬＴＥ）システムに関して定義されるＴＢＳの組であり、ＴＢＳＮＲは、本実施形態に基づいて定義されるＴＢＳの組、すなわち、ｅＭＢＢに基づくＮＲシステムに関して定義されるＴＢＳの組である。
【０１５０】
条件５によると、Ｋｍｉｎ〜Ｋｍｉｎであり、条件１または条件２を満たす整数を含む第１の順序付けられた数列を発生させ；Ｋｍｉｎ〜Ｋｍｉｎであり、ＬＴＥシステムに関して事前定義された整数を含む第２の順序付けられた数列を発生させ；第２の順序付けられた数列に従って第１の順序付けられた数列を量子化し、第３の数列を発生させ；本実施形態における量子化組は、第３の数列における全ての要素を含む。Ｋｍｉｎは、１０〜１００の整数であり、Ｋｍａｘは、１０，０００を上回る整数である。例えば、Ｋｔｈｒｅｓｈｏｌｄ＝１，０００である。
【０１５１】
一例において、量子化プロセスは、以下のステップを含む。最初に、条件１を満たす第１の数列ＴＢＳ  Ｓｅｑｕｅｎｃｅｘを得ることを考察する。次いで、第２の数列としてＬＴＥ  ＴＢＳの数列を使用し、第２の数列における要素ＴＢＳｉＬＴＥを第１の数列ＴＢＳ  Ｓｅｑｕｅｎｃｅｘにおける全ての要素と比較し、値ＴＢＳｉＬＴＥに等しいか、それに丸められるか、それに切り上げられるか、または、それに切り捨てられる第１の数列におけるＴＢＳｊｘを見つけ、オリジナル要素ＴＢＳｉＬＴＥをＴＢＳｊｘと置換し、第３のＴＢＳの数列を取得する。ＴＢＳの量子化組は、少なくとも第３のＴＢＳの数列における全ての要素を含むものとする。
【０１５２】
例えば、条件１を満たし、１６〜５１２の整数を含む数列が、第１の数列と見なされ、第１の数列における全ての要素は、以下の通りである：｛１６  ２４  ３２  ４０  ４８  ５６  ６４  ７２  ８０  ８８  ９６  １０４  １１２  １２０  １２８  １３６  １４４  １５２  １６０  １６８  １７６  １８４  １９２  ２００  ２０８  ２１６  ２２４  ２３２  ２４０  ２４８  ２５６  ２６４  ２７２  ２８０  ２８８  ２９６  ３０４  ３１２  ３２０  ３２８  ３３６  ３４４  ３５２  ３６０  ３６８  ３７６  ３８４  ３９２  ４００  ４０８  ４１６  ４２４  ４３２  ４４０  ４４８  ４５６  ４６４  ４７２  ４８０  ４８８  ４９６  ５０４  ５１２｝。１６〜５１２の全てのＬＴＥ  ＴＢＳは、降順における第２の数列を形成し、第２の数列の要素は、以下の通りである：｛１６  ２４  ３２  ４０  ５６  ７２  ８８  １０４  １２０  １３６  １４４  １５２  １７６  ２０８  ２２４  ２５６  ２８０  ２８８  ２９６  ３２８  ３３６  ３４４  ３７６  ３９２  ４０８  ４２４  ４４０  ４５６  ４７２  ４８８  ５０４｝。第１の数列は、第２の数列に従って量子化され、それは、３つの量子化方法に分割される。各量子化方法は、第３の数列を取得する。第３の数列を取得するプロセス中、量子化方法は、一貫すべきである。例えば、第２の数列における第２の要素２４が、第１の数列における各要素と比較される場合、最も近い要素の規則に従って、第１の数列における２４が、量子化され、第３の数列における第２の要素になり；第２の数列における第２の要素２４が、第１の数列における各要素と比較される場合、最も近いが、より大きい要素の規則に従って、より大きい要素値が、第３の数列における第２の要素として第１の数列における３２を取得するために量子化され；第２の数列における第２の要素２４が、第１の数列における各要素と比較される場合、最も近いが、より小さい要素の規則に従って、より小さい要素値が、第３の数列における第２の要素として第１の数列における１６を取得するために量子化され；第２の数列における要素が量子化され、次いで、降順における３つの第３の数列が取得されるまで、以下同様である。
【０１５３】
第１の量子化方法によると、第２の数列に最も近い第１の数列における要素が、見つけられ、取得される第３の数列は、以下の通りである：｛１６  ２４  ３２  ４０  ５６  ７２  ８８  １０４  １２０  １３６  １４４  １５２  １７６  ２０８  ２２４  ２５６  ２８０  ２８８  ２９６  ３２８  ３３６  ３４４  ３７６  ３９２  ４０８  ４２４  ４４０  ４５６  ４７２  ４８８  ５０４｝。第２の量子化方法によると、第２の数列に最も近接し、それより大きい第１の数列における要素が、見つけられ、取得される第３の数列は、以下の通りである：｛２４  ３２  ４０  ４８  ５６  ６４  ８０  ９６  １１２  １２８  １４４  １５２  １６０  １８４  ２３２  ２６４  ２８８  ２９６  ３０４  ３３６  ３４４  ３５２  ３８４  ４００  ４１６  ４３２  ４４８  ４６４  ４８０  ４９６  ５１２｝。第３の量子化方法によると、第２の数列における要素に最も近く、それより小さい第１の数列における要素が、見つけられ、取得される第３の数列は、以下の通りである：｛１６  ２４  ３２  ４０  ６４  ８０  ９６  １１２  １２８  １３６  １４４  １６８  ２００  ２１６  ２４８  ２７２  ２８０  ２８８  ３２０  ３２８  ３３６  ３６８  ３８４  ４００  ４１６  ４３２  ４４８  ４６４  ４８０  ４９６｝。
【０１５４】
量子化ＴＢＳの組は、少なくとも第３の数列における全ての要素を含む。例えば、第３の数列が量子化ＴＢＳの組である場合、リソースまたは伝送パラメータは：変調次数Ｑｍ＝２、符号レートＲ＝０．５１３２であり、レイヤ数は、１であり、ＰＲＢの数は、１であり、ＰＲＢあたりのＲＥの数は、１２８であり、１３２の中間ＴＢＳを計算するように切り上げられ、中間ＴＢＳに対する最も近い隣接値は、１３６（または１３６のより大きい値もしくは１２０のより小さい値）であり、実際の伝送されるＴＢＳと見なされるように第３の数列に従い量子化ＴＢＳとして選択される。
【０１５５】
一例において、第１の数列から取得された第３のＴＢＳの数列が、条件１を満たすと仮定する。量子化されていない第１の数列が、量子化ＴＢＳテーブルと見なされ、ＴＢＳの数列１と称されるとき、ＰＤＳＣＨ  ６４  ＱＡＭ−ＭＣＳテーブルにおける量子化ＴＢＳの分布とＬＴＥ  ＴＢＳテーブルとの比較とが、図１０Ａに示される。第３のＴＢＳの数列が量子化ＴＢＳテーブル１と見なされるとき、ＰＤＳＣＨ  ６４  ＱＡＭ−ＭＣＳテーブルにおける量子化ＴＢＳの分布とＬＴＥ  ＴＢＳテーブルとの比較とが、図１０Ｂに示される。
【０１５６】
別の例において、第１の数列から取得された第３のＴＢＳの数列が、条件２を満たすと仮定する。量子化されていない第１の数列が、量子化ＴＢＳテーブルと見なされ、ＴＢＳの数列２と称されるとき、ＰＤＳＣＨ  ６４  ＱＡＭ−ＭＣＳテーブルにおける量子化ＴＢＳの分布とＬＴＥ  ＴＢＳテーブルとの比較とが、図１１Ａに示される。第３のＴＢＳの数列が量子化ＴＢＳテーブル２と見なされるとき、ＰＤＳＣＨ  ６４  ＱＡＭ−ＭＣＳテーブルにおける量子化ＴＢＳの分布とＬＴＥ  ＴＢＳテーブルとの比較とが、図１１Ｂに示される。
【０１５７】
さらに別の例において、第１の数列から取得された第３のＴＢＳの数列が、条件３を満たすと仮定する。量子化されていない第１の数列が、量子化ＴＢＳテーブルと見なされ、ＴＢＳの数列３と称されるとき、ＰＤＳＣＨ  ６４  ＱＡＭ−ＭＣＳテーブルにおける量子化ＴＢＳの分布とＬＴＥ  ＴＢＳテーブルとの比較とが、図１２Ａに示される。第３のＴＢＳの数列が量子化ＴＢＳテーブル３と見なされるとき、ＰＤＳＣＨ  ６４  ＱＡＭ−ＭＣＳテーブルにおける量子化ＴＢＳの分布とＬＴＥ  ＴＢＳテーブルとの比較とが、図１２Ｂに示される。
【０１５８】
本開示の種々の実施形態が、上で説明されたが、それらは、限定としてではなく、例としてのみ提示されたことを理解されたい。同様に、種々の略図は、当業者が本開示の例示的特徴および機能を理解することを可能にするために提供される例示的アーキテクチャまたは構成を描写し得る。しかしながら、そのような当業者は、本開示が、例証される例示的アーキテクチャまたは構成に制限されず、種々の代替アーキテクチャおよび構成を使用して実装され得ることを理解するであろう。加えて、当業者によって理解されるであろうように、１つの実施形態の１つ以上の特徴は、本明細書に説明される別の実施形態の１つ以上の特徴と組み合わせられることができる。したがって、本開示の範疇および範囲は、上で説明される例示的実施形態のうちのいずれかによって限定されるべきではない。
【０１５９】
「第１」、「第２」等の指定を使用する本明細書における要素のいずれの言及も、概して、それらの要素の量または順序を限定しないことも理解されたい。むしろ、これらの指定は、２つ以上の要素または要素の事例を区別する便宜的な手段として本明細書に使用されることができる。したがって、第１および第２の要素の言及は、２つの要素のみが採用され得ること、または第１の要素がある様式で第２の要素に先行しなければならないことを意味しない。
【０１６０】
加えて、当業者は、情報および信号が種々の異なる技術ならびに技法のうちのいずれかを使用して表され得ることを理解するであろう。例えば、上記説明において言及され得る、例えば、データ、命令、コマンド、情報、信号、ビット、および記号は、電圧、電流、電磁波、磁場または磁性粒子、光学場または光学粒子、もしくはそれらの任意の組み合わせによって表されることができる。
【０１６１】
当業者は、本明細書に開示される側面と関連して説明される種々の例証的論理ブロック、モジュール、プロセッサ、手段、回路、方法、および機能のうちのいずれかが、電子ハードウェア（例えば、デジタル実装、アナログ実装、または２つの組み合わせ）、ファームウェア、命令を組み込むプログラムまたは設計コードの種々の形態（本明細書において、便宜的に、「ソフトウェア」または「ソフトウェアモジュール」と称され得る）、もしくはこれらの技法の任意の組み合わせによって実装され得ることをさらに理解するであろう。
【０１６２】
ハードウェア、ファームウェア、およびソフトウェアのこの互換性を明確に例証するために、種々の例証的コンポーネント、ブロック、モジュール、回路、およびステップが、概して、それらの機能性の観点から上で説明された。そのような機能性がハードウェア、ファームウェアまたはソフトウェア、もしくはこれらの技法の組み合わせとして実装されるかどうかは、システム全体に課される特定の用途および設計制約に依存する。当業者は、各特定の用途に関して種々の方法で説明される機能性を実装することができるが、そのような実装決定は、本開示の範囲からの逸脱を引き起こさない。種々の実施形態によると、プロセッサ、デバイス、コンポーネント、回路、構造、機械、モジュール等が、本明細書に説明される機能のうちの１つ以上のものを実施するように構成されることができる。規定された動作または機能に関して本明細書に使用されるような用語「〜するように構成される」または「〜のために構成される」は、規定された動作または機能を実施するように物理的に構築、プログラム、および／または配列されるプロセッサ、デバイス、コンポーネント、回路、構造、機械、モジュール等を指す。
【０１６３】
さらに、当業者は、本明細書に説明される種々の例証的論理ブロック、モジュール、デバイス、コンポーネント、および回路が、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、もしくはそれらの任意の組み合わせを含み得る集積回路（ＩＣ）内に実装されるか、またはそれによって実施され得ることを理解するであろう。論理ブロック、モジュール、および回路は、ネットワーク内またはデバイス内の種々のコンポーネントと通信するために、アンテナおよび／または送受信機をさらに含むことができる。汎用プロセッサは、マイクロプロセッサであり得るが、代替において、プロセッサは、任意の従来のプロセッサ、コントローラ、または状態マシンであり得る。プロセッサは、コンピューティングデバイスの組み合わせ、例えば、ＤＳＰおよびマイクロプロセッサの組み合わせ、複数のマイクロプロセッサ、ＤＳＰコアと併せた１つ以上のマイクロプロセッサ、または本明細書に説明される機能を実施するための任意の他の好適な構成としても実装されることができる。
【０１６４】
ソフトウェアにおいて実装される場合、機能は、コンピュータ読み取り可能な媒体上の１つ以上の命令またはコードとして記憶されることができる。したがって、本明細書に開示される方法またはアルゴリズムのステップは、コンピュータ読み取り可能な媒体上に記憶されるソフトウェアとして実装されることができる。コンピュータ読み取り可能な媒体は、コンピュータプログラムまたはコードを１つの場所から別の場所に転送することを可能にされ得る任意の媒体を含むコンピュータ記憶媒体および通信媒体の両方を含む。記憶媒体は、コンピュータによってアクセスされ得る任意の利用可能な媒体であり得る。例として、限定ではないが、そのようなコンピュータ読み取り可能な媒体は、ＲＡＭ、ＲＯＭ、ＥＥＰＲＯＭ、ＣＤ−ＲＯＭ、または他の光学ディスク記憶装置、磁気ディスク記憶装置または他の磁気記憶デバイス、もしくは命令またはデータ構造の形態において所望のプログラムコードを記憶するために使用され得、コンピュータによってアクセスされ得る任意の他の媒体を含むことができる。
【０１６５】
本書において、本明細書に使用されるような用語「モジュール」は、本明細書に説明される関連付けられる機能を実施するためのソフトウェア、ファームウェア、ハードウェア、およびこれらの要素の任意の組み合わせを指す。加えて、議論の目的のために、種々のモジュールが、別々のモジュールとして説明されるが、しかしながら、当業者に明白であろうように、２つ以上のモジュールが、本開示の実施形態による関連付けられる機能を実施する単一のモジュールを形成するために組み合わせられ得る。
【０１６６】
加えて、メモリまたは他の記憶装置、ならびに通信コンポーネントが、本開示の実施形態において採用され得る。明確化の目的のために、上記説明は、異なる機能ユニットおよびプロセッサを参照して、本開示の実施形態を説明したことを理解されたい。しかしながら、異なる機能ユニット、処理論理要素、または領域の間の機能性の任意の好適な分散が、本開示から逸脱することなく使用され得ることが明白となるであろう。例えば、別個の処理論理要素またはコントローラによって実施されるように例証される機能性は、同じ処理論理要素またはコントローラによって実施され得る。したがって、具体的機能ユニットの言及は、厳密な論理的または物理的構造もしくは編成を示すのではなく、説明される機能性を提供するための好適な手段の言及にすぎない。
【０１６７】
本開示に説明される実装の種々の修正が、当業者に容易に明白であり、本明細書に定義される一般的原理は、本開示の範囲から逸脱することなく、他の実装に適用されることができる。したがって、本開示は、本明細書に示される実装に限定されることを意図しておらず、下記の請求項に列挙されるように、本明細書に開示される新規の特徴および原理と一貫する最も広い範囲を与えられるものである。
【図１Ａ】
2021512517.tif 000051
【図１Ｂ】
2021512517.tif 000052
【図１Ｃ】
2021512517.tif 000053
【図２】
2021512517.tif 000054
【図３】
2021512517.tif 000055
【図４】
2021512517.tif 000056
【図５】
2021512517.tif 000057
【図６Ａ】
2021512517.tif 000058
【図６Ｂ】
2021512517.tif 000059
【図７Ａ】
2021512517.tif 000060
【図７Ｂ】
2021512517.tif 000061
【図８Ａ】
2021512517.tif 000062
【図８Ｂ】
2021512517.tif 000063
【図９】
2021512517.tif 000064
【図１０Ａ】
2021512517.tif 000065
【図１０Ｂ】
2021512517.tif 000066
【図１１Ａ】
2021512517.tif 000067
【図１１Ｂ】
2021512517.tif 000068
【図１２Ａ】
2021512517.tif 000069
【図１２Ｂ】
2021512517.tif 000070
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
無線通信デバイスによって実施される方法であって、前記方法は、
無線通信ノードから制御情報を受信することであって、前記制御情報は、前記無線通信デバイスと前記無線通信ノードとの間で伝送されるべきトランスポートブロックに関連する複数の伝送パラメータを含む、ことと、
前記複数の伝送パラメータに基づいて、前記トランスポートブロックに関する中間トランスポートブロックサイズ（ＴＢＳ）を計算することと、
前記中間ＴＢＳが閾値より小さいことのイベントに応答して、前記中間ＴＢＳを修正し、修正されたＴＢＳを発生させることと、
量子化組の中にあり、かつ前記修正されたＴＢＳより小さくないＴＢＳのうちの前記修正されたＴＢＳに最も近いＴＢＳに基づいて、前記トランスポートブロックに関する最終ＴＢＳを決定することと
を含む、方法。
【請求項２】
前記複数の伝送パラメータは、
前記トランスポートブロックの伝送のために構成された変調次数と、
前記トランスポートブロックの伝送のために構成された符号レートと、
前記トランスポートブロックの伝送のために構成された物理リソースブロックの数量と
を含む、請求項１に記載の方法。
【請求項３】
前記中間ＴＢＳを修正することは、
前記物理リソースブロックの数量、前記変調次数、および前記符号レートに基づいて、補正係数を決定することと、
前記中間ＴＢＳを前記補正係数で修正し、前記修正されたＴＢＳを発生させることと
を含む、請求項２に記載の方法。
【請求項４】
前記中間ＴＢＳを計算することは、
前記トランスポートブロックの伝送のために構成された前記変調次数、前記符号レート、前記物理リソースブロックの数量、およびレイヤの数量の乗算の積を計算することと、
前記中間ＴＢＳとして前記乗算の積を使用することと
を含む、請求項２に記載の方法。
【請求項５】
前記中間ＴＢＳを修正することは、
２の累乗に等しい量子化ステップで前記中間ＴＢＳを割り、商を発生させることと、
前記商を切り捨て、第１の整数を発生させることと、
前記第１の整数を前記量子化ステップで乗算し、第２の整数を発生させることと、
前記第２の整数に基づいて、前記修正されたＴＢＳを発生させることと
を含む、請求項１に記載の方法。
【請求項６】
無線通信ノードによって実施される方法であって、前記方法は、
トランスポートブロックに関連する複数の伝送パラメータを発生させることと、
前記複数の伝送パラメータを含む制御情報を伝送することと、
前記複数の伝送パラメータに基づいて、前記トランスポートブロックに関する中間トランスポートブロックサイズ（ＴＢＳ）を計算することと、
前記中間ＴＢＳが閾値より小さいことのイベントに応答して、前記中間ＴＢＳを修正し、修正されたＴＢＳを発生させることと、
量子化組の中にあり、かつ前記修正されたＴＢＳより小さくないＴＢＳのうちの前記修正されたＴＢＳに最も近いＴＢＳに基づいて、前記トランスポートブロックに関する最終ＴＢＳを決定することと、
前記最終ＴＢＳに基づく前記トランスポートブロックを使用して、無線通信デバイスと通信することと
を含む、方法。
【請求項７】
前記複数の伝送パラメータは、
前記トランスポートブロックの伝送のために構成された変調次数と、
前記トランスポートブロックの伝送のために構成された符号レートと、
前記トランスポートブロックの伝送のために構成された物理リソースブロックの数量と
を含む、請求項６に記載の方法。
【請求項８】
前記中間ＴＢＳを修正することは、
前記物理リソースブロックの数量、前記変調次数、および前記符号レートに基づいて、補正係数を決定することと、
前記中間ＴＢＳを前記補正係数で修正し、前記修正されたＴＢＳを発生させることと
を含む、請求項７に記載の方法。
【請求項９】
前記中間ＴＢＳを計算することは、
前記トランスポートブロックの伝送のために構成された前記変調次数、前記符号レート、前記物理リソースブロックの数量、およびレイヤの数量の乗算の積を計算することと、
前記中間ＴＢＳとして前記乗算の積を使用することと
を含む、請求項７に記載の方法。
【請求項１０】
前記中間ＴＢＳを修正することは、
２の累乗に等しい量子化ステップで前記中間ＴＢＳを割り、商を発生させることと、
前記商を切り捨て、第１の整数を発生させることと、
前記第１の整数を前記量子化ステップで乗算し、第２の整数を発生させることと、
前記第２の整数に基づいて、前記修正されたＴＢＳを発生させることと
を含む、請求項６に記載の方法。
【請求項１１】
プロセッサとメモリとを備えている第１の通信装置であって、前記メモリは、命令を記憶しており、前記命令は、実行されると、請求項１−５のいずれか１項に記載の方法を実装することを前記プロセッサに行わせる、第１の通信装置。
【請求項１２】
プロセッサとメモリとを備えている第１の通信装置であって、前記メモリは、命令を記憶しており、前記命令は、実行されると、請求項６−１０のいずれか１項に記載の方法を実装することを前記プロセッサに行わせる、第１の通信装置。
【請求項１３】
コンピュータ実行可能命令を記憶している非一過性コンピュータ読み取り可能な媒体であって、前記コンピュータ実行可能命令は、プロセッサによって実行されると、請求項１−１０のいずれか１項に記載の方法を実装することを前記プロセッサに行わせる、非一過性コンピュータ読み取り可能な媒体。
【手続補正２】
【補正対象書類名】明細書
【補正対象項目名】００１３
【補正方法】変更
【補正の内容】
【００１３】
なおも別の実施形態において、いくつかの実施形態において開示される方法を実行するためのコンピュータ実行可能命令を記憶している非一過性コンピュータ読み取り可能な媒体が、開示される。
本発明は、例えば、以下を提供する。
（項目１）
無線通信デバイスによって実施される方法であって、前記方法は、
無線通信ノードから制御情報を受信することであって、前記制御情報は、前記無線通信デバイスと無線通信ノードとの間で伝送されるべきトランスポートブロックに関連する複数の伝送パラメータを含む、ことと、
前記複数の伝送パラメータに基づいて、前記トランスポートブロックに関する中間トランスポートブロックサイズ（ＴＢＳ）を計算することと、
少なくとも１つのイベントに応答して、前記中間ＴＢＳを修正し、修正されたＴＢＳを発生させることと、
量子化組の中にあり、かつ前記修正されたＴＢＳより小さくないＴＢＳのうちの前記修正されたＴＢＳに最も近いＴＢＳに基づいて、前記トランスポートブロックに関する最終ＴＢＳを決定することと
を含み、
前記量子化組における各ＴＢＳは、８と前記トランスポートブロックの各々におけるコードブロックの数量との最小公倍数で割り切れる、方法。
（項目２）
前記量子化組における各ＴＢＳに関して、前記ＴＢＳと前記トランスポートブロックに関する巡回冗長チェックビットの数量との合計は、前記最小公倍数で割り切れる、項目１に記載の方法。
（項目３）
前記量子化組における各ＴＢＳは、２４〜８４２４であり、前記ＴＢＳが増加するにつれて、前記量子化組におけるあるＴＢＳから次のＴＢＳまでの量子化ステップは、８から１２８まで増加する、項目１に記載の方法。
（項目４）
前記量子化ステップは、
前記量子化組の粒度が閾値より大きいことと、
前記最終ＴＢＳがトランスポートブロックの初期伝送および再伝送の両方に関して同じであることと
を確実にするように決定される、項目１に記載の方法。
（項目５）
前記複数の伝送パラメータは、
前記トランスポートブロックの伝送のために構成されたレイヤの数量と、
前記トランスポートブロックの伝送のために構成された変調次数と、
前記トランスポートブロックの伝送のために構成された符号レートと、
前記トランスポートブロックの伝送のために構成された物理リソースブロックの数量と、
各物理リソースブロックあたりのリソース要素の数量と、
前記トランスポートブロックの伝送のためのリソース要素の合計数量であって、前記リソース要素の合計数量は、前記物理リソースブロックの数量と前記物理リソースブロックあたりのリソース要素の数量との積である、リソース要素の合計数量と、
前記トランスポートブロックの伝送のために構成されたスペクトル効率であって、前記スペクトル効率は、前記変調次数と前記符号レートとの積に等しい、スペクトル効率と
のうちの少なくとも１つを含む、項目１に記載の方法。
（項目６）
前記少なくとも１つのイベントは、
前記物理リソースブロックの数量が第１の閾値より小さいこと、
前記変調次数が第２の閾値より小さいこと、
前記リソース要素の合計数量が第３の閾値より小さいこと、および、
前記中間ＴＢＳが第４の閾値より小さいこと
のうちの少なくとも１つを含む、項目５に記載の方法。
（項目７）
前記中間ＴＢＳを修正することは、
前記物理リソースブロックの数量、前記変調次数、および前記スペクトル効率のうちの少なくとも１つに基づいて、補正係数を決定することと、
前記中間ＴＢＳを前記補正係数で乗算し、前記修正されたＴＢＳを発生させることと
を含む、項目５に記載の方法。
（項目８）
前記中間ＴＢＳを修正することは、
前記リソース要素の前記合計数量と量子化後のリソース要素数量の組とに基づいて、リソース要素の修正された数量を決定することと、
前記中間ＴＢＳの計算において前記リソース要素の合計数量を前記リソース要素の修正された数量と置換し、前記修正されたＴＢＳを発生させることと
を含む、項目５に記載の方法。
（項目９）
前記中間ＴＢＳを修正することは、
前記物理リソースブロックの数量、前記変調次数、および前記スペクトル効率のうちの少なくとも１つに基づいて、修正された符号レートを決定することと、
前記中間ＴＢＳの計算において前記符号レートを前記修正された符号レートと置換し、前記修正されたＴＢＳを発生させることと
を含む、項目５に記載の方法。
（項目１０）
前記修正されたＴＢＳに基づく前記トランスポートブロックの伝送は、前記中間ＴＢＳに直接基づく前記トランスポートブロックの伝送より良好なリンク安定性につながる、項目１に記載の方法。
（項目１１）
前記リンク安定性は、計算されたＴＢＳと前記伝送のために使用される実際のＴＢＳとの間の不一致を所与として、前記トランスポートブロックの伝送に関するターゲットブロックエラーレートを達成するために要求される信号対雑音比の変化に基づいて決定される、項目１０に記載の方法。
（項目１２）
無線通信ノードによって実施される方法であって、前記方法は、
無線通信デバイスと前記無線通信ノードとの間で伝送されるべきトランスポートブロックに関連する複数の伝送パラメータを発生させることと、
前記複数の伝送パラメータに基づいて、前記トランスポートブロックに関する中間トランスポートブロックサイズ（ＴＢＳ）を計算することと、
少なくとも１つのイベントに応答して、前記中間ＴＢＳを修正し、修正されたＴＢＳを発生させることと、
量子化組の中にあり、かつ前記修正されたＴＢＳより小さくないＴＢＳのうちの前記修正されたＴＢＳに最も近いＴＢＳに基づいて、前記トランスポートブロックに関する最終ＴＢＳを決定することであって、前記量子化組における各ＴＢＳは、８と前記トランスポートブロックの各々におけるコードブロックの数量との最小公倍数で割り切れる、ことと、
前記複数の伝送パラメータおよび前記最終ＴＢＳを含む制御情報を前記無線通信デバイスに伝送することと
を含む、方法。
（項目１３）
前記量子化組における各ＴＢＳに関して、前記ＴＢＳと前記トランスポートブロックに関する巡回冗長チェックビットの数量との合計は、前記最小公倍数で割り切れる、項目１２に記載の方法。
（項目１４）
前記量子化組における各ＴＢＳは、２４〜８４２４であり、前記ＴＢＳが増加するにつれて、前記量子化組におけるあるＴＢＳから次のＴＢＳまでの量子化ステップは、８から１２８まで増加する、項目１２に記載の方法。
（項目１５）
前記量子化ステップは、
前記量子化組の粒度が閾値より大きいことと、
前記最終ＴＢＳがトランスポートブロックの初期伝送および再伝送の両方に関して同じであることと
を確実にするように決定される、項目１２に記載の方法。
（項目１６）
前記複数の伝送パラメータは、
前記トランスポートブロックの伝送のために構成されたレイヤの数量と、
前記トランスポートブロックの伝送のために構成された変調次数と、
前記トランスポートブロックの伝送のために構成された符号レートと、
前記トランスポートブロックの伝送のために構成された物理リソースブロックの数量と、
各物理リソースブロックあたりのリソース要素の数量と、
前記トランスポートブロックの伝送のためのリソース要素の合計数量であって、前記リソース要素の合計数量は、前記物理リソースブロックの数量と前記物理リソースブロックあたりのリソース要素の数量との積である、リソース要素の合計数量と、
前記トランスポートブロックの伝送のために構成されたスペクトル効率であって、前記スペクトル効率は、前記変調次数と前記符号レートとの積に等しい、スペクトル効率と
のうちの少なくとも１つを含む、項目１２に記載の方法。
（項目１７）
前記少なくとも１つのイベントは、
前記物理リソースブロックの数量が第１の閾値より小さいこと、
前記変調次数が第２の閾値より小さいこと、
前記リソース要素の合計数量が第３の閾値より小さいこと、および、
前記中間ＴＢＳが第４の閾値より小さいこと
のうちの少なくとも１つを含む、項目１６に記載の方法。
（項目１８）
前記中間ＴＢＳを修正することは、
前記物理リソースブロックの数量、前記変調次数、および前記スペクトル効率のうちの少なくとも１つに基づいて、補正係数を決定することと、
前記中間ＴＢＳを前記補正係数で乗算し、前記修正されたＴＢＳを発生させることと
を含む、項目１６に記載の方法。
（項目１９）
前記中間ＴＢＳを修正することは、
前記リソース要素の前記合計数量と量子化後のリソース要素数量の組とに基づいて、リソース要素の修正された数量を決定することと、
前記中間ＴＢＳの計算において前記リソース要素の合計数量を前記リソース要素の修正された数量と置換し、前記修正されたＴＢＳを発生させることと
を含む、項目１６に記載の方法。
（項目２０）
前記中間ＴＢＳを修正することは、
前記物理リソースブロックの数量、前記変調次数、および前記スペクトル効率のうちの少なくとも１つに基づいて、修正された符号レートを決定することと、
前記中間ＴＢＳの計算において前記符号レートを前記修正された符号レートと置換し、前記修正されたＴＢＳを発生させることと
を含む、項目１６に記載の方法。
（項目２１）
前記修正されたＴＢＳに基づく前記トランスポートブロックの伝送は、前記中間ＴＢＳに直接基づく前記トランスポートブロックの伝送より良好なリンク安定性につながる、項目１２に記載の方法。
（項目２２）
前記リンク安定性は、計算されたＴＢＳと前記伝送のために使用される実際のＴＢＳとの間の不一致を所与として、前記トランスポートブロックの伝送に関するターゲットブロックエラーレートを達成するために要求される信号対雑音比の変化に基づいて決定される、項目２１に記載の方法。
（項目２３）
項目１−１１のいずれか１項に記載の方法を実行するように構成された無線通信デバイス。
（項目２４）
項目１２−２２のいずれか１項に記載の方法を実行するように構成された無線通信ノード。
（項目２５）
項目１−２２のいずれか１項に記載の方法を実装するためのコンピュータ実行可能命令を記憶している非一過性コンピュータ読み取り可能な媒体。
【国際調査報告】
2021512517.tif 000071
2021512517.tif 000072
2021512517.tif 000073